(57)【要約】  使い捨て排出物閉じ込め物品が、２つのかかる物品を同時に用いる組合せと共に開示される。この物品は、第１の面及び外周部を備えた身体側の層と、身体側層の外周部とほぼ一致した外周部を備える衣服に向いた層とを有する。吸収層が、身体側層と衣服向き層との間に配置される。シールが、身体側層を衣服向き層に固定する。シールは、外周部の内方に配置される。進入部が、身体側層に形成されていて、人体に存在する排出物口のうちの１つと位置合わせされ、人体からの排出物が進入部を通過して排出物閉じ込め物品内に収集されることができるようになっている。排出物閉じ込め物品は、第１の面を着用者の身体に固定する人体用接着剤を更に有する。
2010504150.tif 000002
【特許請求の範囲】
【請求項１】
人体に存在する排出物口のうちの１つから身体排出物を収集することができる使い捨て排出物閉じ込め物品であって、
ａ）第１の面及び外周部を備えた身体側の液体不浸透性層を有し、
ｂ）前記身体側層の前記外周部とほぼ一致した外周部を備える衣服に向いた液体不浸透性層を有し、
ｃ）前記身体側層と前記衣服向き層との間に配置された吸収層を有し、
ｄ）前記身体側層の少なくとも一部分を前記衣服向き層に結合するシールを有し、前記シールは、前記外周部の内方に配置され、
ｅ）前記身体側層に形成されていて、前記人体に存在する前記排出物口のうちの１つと位置合わせされるよう設計された進入部を有し、前記進入部は、前記人体からの人体排出物を通過させて前記使い捨て排出物閉じ込め物品内に収集させることができ、
ｆ）前記第１の面の少なくとも一部分に固定されていて、前記進入部を少なくとも部分的に包囲した接着剤を有する、使い捨て排出物閉じ込め物品。
【請求項２】
前記接着剤を覆った取り外し可能な剥離層を更に有し、前記剥離層は、前記接着剤が前記使い捨て排出物閉じ込め物品の使用に先立って、汚染状態になるのを阻止する、請求項１記載の使い捨て排出物閉じ込め物品。
【請求項３】
前記取り外し可能な剥離層は、内周部と、外周物と、前記内周部から前記外周部まで延びるスリットとを有し、前記スリットは、男性陰茎が前記進入部内に挿入された後、前記剥離層の取り外しを容易にする、請求項２記載の使い捨て排出物閉じ込め物品。
【請求項４】
前記進入部は、前記人体に存在する前記排出物口のうちの１つを包囲すると共にこれを越えて延びる拡大孔である、請求項１記載の使い捨て排出物閉じ込め物品。
【請求項５】
前記拡大孔は、最小内寸が少なくとも約２５ミリメートルの円の形をしている、請求項４記載の使い捨て排出物閉じ込め物品。
【請求項６】
人体用接着剤の一区域は、前記第１の面に固定されると共に前記接着剤から間隔を置いて位置し、前記身体接着剤の前記一区域は、前記使い捨て排出物閉じ込め物品を前記人体に固定するのを助ける、請求項１記載の使い捨て排出物閉じ込め物品。
【請求項７】
前記身体側層は、通気性がある、請求項１記載の使い捨て排出物閉じ込め物品。
【請求項８】
前記衣服向き層は、通気性がある、請求項１記載の使い捨て排出物閉じ込め物品。
【請求項９】
前記接着剤は、前記人体に直接取り付けられるよう設計された人体用接着剤である、請求項１記載の使い捨て排出物閉じ込め物品。
【請求項１０】
前記進入部は、一点から出る少なくとも３つのスリットから成り、前記スリットの各々の長さは、少なくとも約１５ミリメートルである、請求項１記載の使い捨て排出物閉じ込め物品。
【請求項１１】
前記接着剤は、約１０ｇｓｍから約３５０ｇｓｍまでの範囲の量で存在している、請求項１記載の使い捨て排出物閉じ込め物品。
【請求項１２】
前記物品は、身体排出物が前記進入部を通って入ると、拡張可能な内容積部を有する、請求項１記載の使い捨て排出物閉じ込め物品。
【請求項１３】
前記吸収層は、前記身体側層及び前記衣服向き層のうちの少なくとも一方に結合されている、請求項１記載の使い捨て排出物閉じ込め物品。
【請求項１４】
前記排出物閉じ込め物品を処分するために使用できる密封可能なパウチを更に有する、請求項１記載の使い捨て排出物閉じ込め物品。
【請求項１５】
人体に存在する排出物口のうちの１つから身体排出物を収集することができる使い捨て排出物閉じ込め物品であって、
ａ）第１の面及び外周部を備えた身体側の液体不浸透性層を有し、
ｂ）前記身体側層の前記外周部とほぼ一致した外周部を備える衣服に向いた液体不浸透性層を有し、
ｃ）前記身体側層と前記衣服向き層との間に配置された吸収層を有し、前記吸収層は、高吸収体を含む第１の主要な面を有し、前記吸収層は、前記身体側層の前記外周部とほぼ一致した外周部を備え、
ｄ）前記身体側層の少なくとも一部分、前記吸収層、及び前記衣服向き層を互いに結合したシールを有し、前記シールは、前記外周部の内方に配置され、
ｅ）前記身体側層に形成されていて、前記人体に存在する前記排出物口のうちの１つと位置合わせされるよう設計された拡大孔を有し、前記拡大孔は、前記人体からの人体排出物を通過させて前記使い捨て排出物閉じ込め物品内に収集させることができ、
ｆ）前記身体側層の前記第１の面に固定されると共に前記拡大孔を包囲した人体用接着剤を有する、使い捨て排出物閉じ込め物品。
【請求項１６】
前記接着剤を覆った取り外し可能な剥離層を更に有し、前記取り外し可能な剥離層は、前記人体用接着剤が前記使い捨て排出物閉じ込め物品の使用に先立って、汚染状態になるのを阻止する、請求項１５記載の使い捨て排出物閉じ込め物品。
【請求項１７】
前記取り外し可能な剥離層は、フィンガータブを有し、前記フィンガータブは、前記人体用接着剤からの前記剥離層の取り外しを容易にするために前記剥離層から外方に延びている、請求項１６記載の使い捨て排出物閉じ込め物品。
【請求項１８】
前記シールは、前記身体側層の前記外周部から少なくとも約１ミリメートルだけ内方に間隔を置いて位置している、請求項１５記載の使い捨て排出物閉じ込め物品。
【請求項１９】
前記吸収層の前記第１の主要面は、前記衣服向き層の方へ向いている、請求項１５記載の使い捨て排出物閉じ込め物品。
【請求項２０】
前記吸収層の前記第１の主要面は、高吸収体の無い区域を有する、請求項１５記載の使い捨て排出物閉じ込め物品。
【請求項２１】
前記高吸収体の無い区域の幅は、少なくとも１ミリメートルである、請求項２０記載の使い捨て排出物閉じ込め物品。
【請求項２２】
前記使い捨て排出物閉じ込め物品の外面に形成されていて、ふき取りを収容することができるポケットを更に有する、請求項１５記載の使い捨て排出物閉じ込め物品。
【請求項２３】
人体に存在する排出物口のうちの１つから身体排出物を収集することができる使い捨て排出物閉じ込め物品であって、
ａ）第１の面及び外周部を備えた身体側の液体不浸透性層を有し、
ｂ）前記身体側層の前記外周部とほぼ一致した外周部を備える衣服に向いた液体不浸透性層を有し、
ｃ）前記身体側層と前記衣服向き層との間に配置された吸収層を有し、前記吸収層は、高吸収体を含む第１の主要な面を有し、前記吸収層は、前記身体側層の前記外周部とほぼ一致した外周部を備え、
ｄ）前記身体側層の少なくとも一部分、前記吸収層、及び前記衣服向き層を互いに結合したシールを有し、前記シールは、前記外周部から少なくとも約２ミリメートルだけ内方に配置されており、
ｅ）前記身体側層に形成されていて、前記人体に存在する前記排出物口のうちの１つと位置合わせされる進入部を有し、前記進入部は、前記人体からの人体排出物を通過させて前記使い捨て排出物閉じ込め物品内に収集させることができ、
ｆ）前記身体側層の前記第１の面に固定されると共に前記進入部を包囲した人体用接着剤を有し、
ｇ）前記人体用接着剤を覆った取り外し可能な剥離層を有する、使い捨て排出物閉じ込め物品。
【請求項２４】
前記身体側層と前記吸収層との間に配置された捕捉層を更に有する、請求項２３記載の使い捨て排出物閉じ込め物品。
【請求項２５】
前記捕捉層と前記吸収層との間に配置された第２の吸収層を更に有し、前記第２の吸収層は、高吸収体を含む第１の主要な面を有し、前記第２の吸収層の前記第１の主要面は、前記吸収層の前記第１の主要面に向いている、請求項２４記載の使い捨て排出物閉じ込め物品。
【請求項２６】
前記身体側層の前記第１の面に固定された接着剤層の一区域を更に有し、前記人体用接着剤の一区域は、前記身体側層の前記第１の面に固定されると共に前記進入部を包囲した前記人体用接着剤から間隔を置いて位置していて、前記使い捨て排出物閉じ込め物品を前記人体に固定するのを助ける、請求項２３記載の使い捨て排出物閉じ込め物品。
【請求項２７】
人体用接着剤の少なくとも２つの別々の互いに離れている区域が、前記身体側層の前記第１の面に固定され、前記人体用接着剤の区域の各々は、前記身体側層の前記第１の面に固定されると共に前記進入部を包囲した前記人体用接着剤から間隔を置いて位置していて、前記使い捨て排出物閉じ込め物品を前記人体に固定するのを助ける、請求項２６記載の使い捨て排出物閉じ込め物品。
【請求項２８】
人体に存在する排出物口のうちの１つから人体排出物を収集することができる使い捨て排出物閉じ込め物品であって、
ａ）第１の主要な面、第２の主要な面、及び前記第１の主要面に固定された人体用接着剤を有する第１の部材を備えた解剖学的形状のステッカを有し、前記ステッカは、前記ステッカを貫通して形成された孔、内周部、及び外周部を有し、前記人体用接着剤は、前記ステッカを人体に取り外し可能に取り付けることができ、前記内周部が前記排出物口のうちの１つを包囲するようになっており、
ｂ）前記人体用接着剤に取り外し可能に固定された剥離層を有し、前記剥離層は、前記人体用接着剤が前記人体への前記ステッカの取り付けに先立って汚染状態になるのを阻止し、
ｃ）流体吸収材を収容した使い捨て収集受け器を有し、前記受け器には、第１の接着剤によって少なくとも部分的に包囲された開口部が形成され、前記開口部は、前記ステッカの前記内周部に一致するような寸法形状の内周部を有し、前記第１の接着剤は、前記ステッカの前記第２の主要面にくっつくよう設計されている、使い捨て排出物閉じ込め物品。
【請求項２９】
前記収集受け器は、臭気吸収材を収容している、請求項２７記載の使い捨て排出物閉じ込め物品。
【請求項３０】
各々が人体に存在している排出物口からの人体排出物を収集することができる２つの使い捨て物品の組合せであって、各物品は、下着によって前記人体に隣接して同時に保持されるよう設計されており、前記組合せは、
ａ）尿閉じ込め物品を有し、前記尿閉じ込め物品は、第１の面及び外周部を備えた身体側の液体不浸透性層と、前記身体側層の前記外周部とほぼ一致した外周部を備える衣服に向いた液体不浸透性層と、前記身体側層と前記衣服向き層との間に配置された吸収層と、前記身体側層の少なくとも一部分を前記衣服向き層に結合するシールとを有し、前記シールは、前記外周部の内方に配置され、前記尿閉じ込め物品は、前記身体側層に形成されていて、前記人体に存在する尿道口と位置合わせされるよう設計された進入部を更に有し、前記進入部は、前記人体からの尿を通過させて前記尿閉じ込め物品内に収集させることができ、前記尿閉じ込め物品は、前記第１の面の少なくとも一部分に固定されていて、前記進入部を少なくとも部分的に包囲した接着剤を更に有し、
ｂ）糞便閉じ込め物品を有し、前記糞便閉じ込め物品は、第１の面及び外周部を備えた身体側の液体不浸透性層と、前記身体側層の前記外周部とほぼ一致した外周部を備える衣服に向いた液体不浸透性層と、前記身体側層と前記衣服向き層との間に配置された吸収層と、前記身体側層の少なくとも一部分を前記衣服向き層に結合するシールとを有し、前記シールは、前記外周部の内方に配置され、前記糞便閉じ込め物品は、前記身体側層に形成されていて、前記人体に存在する肛門外口と位置合わせされるよう設計された進入部を更に有し、前記進入部は、前記人体からの糞便を通過させて前記糞便閉じ込め物品内に収集させることができ、前記糞便閉じ込め物品は、前記第１の面の少なくとも一部分に固定されていて、前記進入部を少なくとも部分的に包囲した接着剤を更に有する、組合せ。
【請求項３１】
前記尿閉じ込め物品は、ユーザの腹部に隣接して配置され、前記糞便閉じ込め物品は、ユーザの臀部に隣接して配置される、請求項３０記載の組合せ。
【請求項３２】
前記尿閉じ込め物品及び前記糞便閉じ込め物品が、当初人体に固定されると、前記尿閉じ込め物品の少なくとも一部分は、前記糞便閉じ込め物品の少なくとも一部分とオーバーラップする、請求項３０記載の組合せ。
【請求項３３】
前記尿閉じ込め物品及び前記糞便閉じ込め物品が、当初人体に固定されると、前記尿閉じ込め物品は、前記糞便閉じ込め物品とオーバーラップしない、請求項３０記載の組合せ。
【請求項３４】
前記尿閉じ込め物品及び前記糞便閉じ込め物品が、当初人体に固定されると、前記尿閉じ込め物品は、前記糞便閉じ込め物品から少なくとも約２５ｍｍだけ間隔を置いて位置する、請求項３０記載の組合せ。
【請求項３５】
前記尿閉じ込め物品を前記人体から取り外すことができ、前記糞便閉じ込め物品が前記人体に固定されたままの状態で前記尿閉じ込め物品に代えて別の尿閉じ込め物品を用いることができる、請求項３０記載の組合せ。
【請求項３６】
前記糞便閉じ込め物品を前記人体から取り外すことができ、前記尿閉じ込め物品が前記人体に固定されたままの状態で前記糞便閉じ込め物品に代えて別の糞便閉じ込め物品を用いることができる、請求項３０記載の組合せ。
【請求項３７】
前記尿閉じ込め物品は、所定量の尿を保持することができ、前記糞便閉じ込め物品は、これとは異なる量の糞便を保持することができる、請求項３０記載の組合せ。
【請求項３８】
前記尿閉じ込め物品は、所定量の尿を保持することができ、前記糞便閉じ込め物品は、これと同量の糞便を保持することができる、請求項３０記載の組合せ。
【請求項３９】
前記尿閉じ込め物品は、約１００ｍｌ〜約２，０００ｍｌの尿を保持することができる、請求項３０記載の組合せ。
【請求項４０】
前記糞便閉じ込め物品は、約１００ｍｌ〜約２，０００ｍｌの糞便を保持することができる、請求項３０記載の組合せ。
【請求項４１】
前記尿閉じ込め物品及び前記糞便閉じ込め物品は各々、人体排出物の多数回の不意の漏れを受け入れることができる、請求項３０記載の組合せ。
【請求項４２】
前記尿閉じ込め物品によって収集された尿は、前記糞便閉じ込め物品によって収集された糞便と混ざり合わない、請求項３０記載の組合せ。
【請求項４３】
各々が人体に存在している排出物口からの人体排出物を収集することができる２つの使い捨て物品の組合せであって、各物品は、下着によって前記人体に隣接して同時に保持されるよう設計されており、前記組合せは、
ａ）第１の主要な面、第２の主要な面、及び前記第１の主要面に固定された人体用接着剤を有する第１の部材を備えた第１のステッカを有し、前記第１のステッカは、前記第１のステッカを貫通して形成された孔、内周部、及び外周部を有し、前記人体用接着剤は、前記内周部が尿道口を包囲するよう前記第１のステッカを人体に取り外し可能に取り付けることができ、
ｂ）尿閉じ込め物品を有し、前記尿閉じ込め物品は、第１の面及び外周部を備えた身体側の液体不浸透性層と、前記身体側層の前記外周部とほぼ一致した外周部を備える衣服に向いた液体不浸透性層と、前記身体側層と前記衣服向き層との間に配置された吸収層と、前記身体側層の少なくとも一部分を前記衣服向き層に結合するシールとを有し、前記シールは、前記外周部の内方に配置され、前記尿閉じ込め物品は、前記身体側層に形成されていて、前記人体に存在する尿道口と位置合わせされるよう設計された進入部を更に有し、前記進入部は、前記人体からの尿を通過させて前記尿閉じ込め物品内に収集させることができ、前記尿閉じ込め物品は、前記第１の面の少なくとも一部分に固定されていて、前記進入部を少なくとも部分的に包囲した接着剤を更に有し、前記接着剤は、前記尿閉じ込め物品を前記第１のステッカの前記第２の主要面に取り外し可能に固定し、
ｃ）第１の主要な面、第２の主要な面、及び前記第１の主要面に固定された人体用接着剤を有する第１の部材を備えた第２のステッカを有し、前記第２のステッカは、前記第２のステッカを貫通して形成された孔、内周部、及び外周部を有し、前記人体用接着剤は、前記内周部が肛門外口を包囲するよう前記第１のステッカを人体に取り外し可能に取り付けることができ、
ｄ）糞便閉じ込め物品を有し、前記糞便閉じ込め物品は、第１の面及び外周部を備えた身体側の液体不浸透性層と、前記身体側層の前記外周部とほぼ一致した外周部を備える衣服に向いた液体不浸透性層と、前記身体側層と前記衣服向き層との間に配置された吸収層と、前記身体側層の少なくとも一部分を前記衣服向き層に結合するシールとを有し、前記シールは、前記外周部の内方に配置され、前記糞便閉じ込め物品は、前記身体側層に形成されていて、前記人体に存在する肛門外口と位置合わせされるよう設計された進入部を更に有し、前記進入部は、前記人体からの糞便を通過させて前記糞便閉じ込め物品内に収集させることができ、前記糞便閉じ込め物品は、前記第１の面の少なくとも一部分に固定されていて、前記進入部を少なくとも部分的に包囲した接着剤を更に有し、前記接着剤は、前記糞便閉じ込め物品を前記第２のステッカの前記第２の主要面に取り外し可能に固定する、組合せ。
【請求項４４】
前記尿閉じ込め物品及び前記糞便閉じ込め物品は、それぞれ、接着剤によって前記第１及び前記第２のステッカに取り外し可能に固定される、請求項４３記載の組合せ。
【請求項４５】
前記尿閉じ込め物品を前記人体から取り外すことができ、前記糞便閉じ込め物品が前記人体に固定されたままの状態で前記尿閉じ込め物品に代えて別の尿閉じ込め物品を用いることができる、請求項４３記載の組合せ。
【請求項４６】
前記糞便閉じ込め物品を前記人体から取り外すことができ、前記尿閉じ込め物品が前記人体に固定されたままの状態で前記糞便閉じ込め物品に代えて別の糞便閉じ込め物品を用いることができる、請求項４３記載の組合せ。
【請求項４７】
前記尿閉じ込め物品は、前記糞便閉じ込め物品とは別個独立している、請求項４３記載の組合せ。
【請求項４８】
前記尿閉じ込め物品は、所定量の尿を保持することができ、前記糞便閉じ込め物品は、これとは異なる量の糞便を保持することができる、請求項４３記載の組合せ。
【請求項４９】
前記尿閉じ込め物品は、所定量の尿を保持することができ、前記糞便閉じ込め物品は、これと同量の糞便を保持することができる、請求項４３記載の組合せ。
【請求項５０】
前記尿閉じ込め物品は、約１００ｍｌ〜約２，０００ｍｌの尿を保持することができる、請求項４３記載の組合せ。
【請求項５１】
前記糞便閉じ込め物品は、約１００ｍｌ〜約２，０００ｍｌの糞便を保持することができる、請求項４３記載の組合せ。
【請求項５２】
前記尿閉じ込め物品と前記糞便閉じ込め物品の両方が前記下着によって前記人体に隣接して同時に保持されると、前記尿閉じ込め物品は、前記糞便閉じ込め物品の少なくとも一部分とオーバーラップする、請求項４３記載の組合せ。
【請求項５３】
前記尿閉じ込め物品及び前記糞便閉じ込め物品は各々、人体排出物の多数回の不意の漏れを受け入れることができる、請求項４３記載の組合せ。
【請求項５４】
前記尿閉じ込め物品によって収集された尿は、前記糞便閉じ込め物品によって収集された糞便と混ざり合わない、請求項４３記載の組合せ。
【発明の詳細な説明】
【技術分野】
【０００１】
本発明は、人体に存在している排出物口のうちの１つからの人体排出物を収集することができる使い捨て排出物閉じ込め物品及び同時に着用される２つの物品の組合せに関する。
【背景技術】
【０００２】
長年にわたり、人の排出物を収集して処分する使い捨て吸収物品を用いることが知られている。代表的には家庭用として乳児及び小児並びに家庭用と施設用の両方として大人から排出物を収集するかかる物品について種々のサイズが利用可能である。かかる公知の使い捨て吸収物品は、おむつを着用者に固定するための締結具を備えている場合があり又は使い捨て衣服、例えばトレーニングパンツが着用できる準備が整っている一体設計を備えている場合がある。他の使い捨て吸収物品、例えば吸収パッドは、再使用可能若しくは使い捨てパンツ又は下着によって定位置に保持されるよう設計されている。
【０００３】
これら公知の形態では、使い捨て吸収物品の中には、尿と糞便の両方にうまく対処するよう設計されているものがある。これら使い捨て吸収物品は、尿生殖部及び肛門周囲部にまたがって着用者の股部全体を覆う一体設計を備えている。
【０００４】
使い捨て吸収おむつは、おむつの内部で且つ外部受け器への連結部によって糞便にうまく対処するための特別設計特徴部を備えている。しかしながら、かかる場合、使い捨て吸収おむつは、尿と糞便の両方を収集してこれらを処分する単一の器具として用いられることが予定されており、かくして、着用者の股部全体を覆うことが予定されている。
【０００５】
上述の使い捨て吸収器具の使用は、皮膚への比較的大きい吸収材片の密の接触に起因して、しかも着用者により排泄される尿及び（又は）糞便が密接して装着された吸収物品によって着用者の皮膚と接触状態に保たれる恐れがあるということによって、皮膚の刺激に関連した問題を生じさせることが判明している。
【０００６】
糞便のみを収集してこれを保持することができる使い捨て糞便管理器具及び尿のみを収集してこれを保持することができる使い捨て尿管理器具の使用が知られている。しかしながら、かかる器具には、排出物を適切に収集し、そしてこれを着用者の皮膚から間隔を置いたままにしておくこれらの性能に関して望まれる多くのことが残されている。
【０００７】
いまや、人体に存在している排出物口のうちの１つから人体排出物を収集することができる使い捨て排出物閉じ込め物品が発明された。この使い捨て排出物閉じ込め物品は、着用が快適であり、構造が簡単であり、しかも製造が経済的である。この使い捨て排出物閉じ込め物品は又、公知のおむつ又はトレーニングパンツよりも環境に優しく、しかも従来公知の物品よりも看護及び老人ホーム型施設により好適である。さらに、これら使い捨て排出物閉じ込め物品は、２つの物品を同時に着用することができるようコンパクトであり、１つが尿生殖部を覆い、もう１つが肛門周囲部を覆うようになっている。
【発明の概要】
【０００８】
概要を述べると、本発明は、人体に存在する排出物口のうちの１つからの人体排出物を収集することができる使い捨て排出物閉じ込め物品及び同時に着用される２つの物品の組合せに関する。この物品は、第１の面及び外周部を備えた身体側の層及び身体側層の外周部とほぼ一致した外周部を備える衣服に向いた層を有する。吸収層が、身体側層と衣服向き層との間に配置されている。シールが、身体側層の少なくとも一部分を衣服向き層に結合している。シールは、外周部の内方に配置されている。人体用接着剤が、第１の面の少なくとも一部分に固定されている。進入部が、身体側層に形成されている。進入部は、人体からの人体排出物を通過させて使い捨て排出物閉じ込め物品内に収集させることができるよう人体に存在する排出物口のうちの１つと位置合わせされる。１つの物品を人体に存在する尿道口と位置合わせすると共にもう１つの物品を人体に存在する肛門外口と位置合わせするのが良い。別の実施形態では、臭気吸収材も又、身体側層と衣服向き層との間に設けられる。
【０００９】
別の実施形態では、人体に存在する排出物口のうちの１つから身体排出物を収集することができる使い捨て排出物閉じ込め物品が、第１の面及び外周部を備えた身体側の層及び身体側層の外周部とほぼ一致した外周部を備える衣服に向いた層を有する。吸収層が、身体側層と衣服向き層との間に配置されている。シールが、身体側層の少なくとも一部分を衣服向き層に結合している。シールは、外周部の内方に配置されている。内面、外面、内周部及び外周部を備えたガスケットが、その第１の面により身体側層の第１の面に固定されている。ガスケットの外面上には人体用接着剤が施され、ガスケットの内周部は、人体に存在する排出物口のうちの１つを包囲するような寸法形状になっている。使い捨て排出物閉じ込め物品は、身体側層に形成されている拡大孔を更に有する。拡大孔は、人体からの人体排出物を通過させて使い捨て排出物閉じ込め物品内に収集させることができるよう人体に存在する排出物口のうちの１つと位置合わせされる。１つの物品を人体に存在する尿道口と位置合わせすると共にもう１つの物品を人体に存在する肛門外口と位置合わせするのが良い。別の実施形態では、臭気吸収材も又、身体側層と衣服向き層との間に設けられる。
【００１０】
さらに別の実施形態では、人体に存在している排出物口のうちの１つからの人体排出物を収集することができる使い捨て排出物閉じ込め物品は、解剖学的形状のステッカを有し、このステッカを完全に貫通して拡大孔が形成されている。ステッカは、外周部、内周部、第１の面及びこれと反対側の整列した第２の面を有する。第１の接着剤が、ステッカの第１の面に固定される。第１の接着剤により、ステッカは、内周部が排出物口のうちの１つを包囲するよう人体に取り外し可能に取り付け可能である。使い捨て排出物閉じ込め物品は、開口部が形成された密閉状態の使い捨て収集受け器を更に有する。開口部は、拡大孔が貫通して形成されたガスケットによって包囲される。拡大孔は、ステッカの内周部に一致した寸法形状の内周部を備えている。ガスケットは、第１の面を有し、収集受け器は、流体吸収材を収容し、別の実施形態では、臭気吸収物質を収容する。第２の接着剤が、ガスケットの第１の面に固定される。第２の接着剤により、多数個の収集受け器をステッカの第２の面に繰り返し取り付けたりこれから取り外したりすることができる。
【００１１】
人体に存在する排出物口のうちの１つからの人体排出物を収集する方法も又教示される。この方法は、解剖学的形状のステッカを排出物口のうちの１つに取り外し可能に取り付けるステップを有する。ステッカを完全に貫通して拡大孔が形成され、このステッカは、外周部及び内周部を有している。ステッカは、第１の接着剤が固定された第１の面及びこれと反対側の整列した第２の面を更に有する。ステッカの内周部は、排出物口のうちの１つを包囲する。密閉状態の使い捨て収集受け器が、ステッカの第２の面に取り外し可能に固定される。使い捨て収集受け器には、開口部が形成される。開口部は、拡大孔が形成されたガスケットによって包囲される。拡大孔は、ステッカの内周部と一致した寸法形状の内周部を有する。ガスケットは、第２の接着剤が固定された第１の面を有し、収集受け器は、流体吸収材を収容し、別の実施形態では、臭気吸収材を収容する。
【００１２】
本発明の一般的な目的は、使い捨て排出物閉じ込め物品及び同時に着用される２つの物品の組合せを提供することにある。本発明のより特定の目的は、人体の尿生殖部又は肛門周囲部に位置する口の周りに当てることができる使い捨て排出物閉じ込め物品及び同時に着用される２つの物品の組合せを提供することにある。
【００１３】
本発明の別の目的は、男性又は女性によって着用可能な使い捨て排出物閉じ込め物品を提供することにある。
【００１４】
本発明の別の目的は、流体排出物、半固形排出物及び固形排出物を受け入れて収容することができる使い捨て排出物閉じ込め物品を提供することにある。
【００１５】
本発明の更に別の目的は、尿と糞便が互いに接触するのを阻止し、かくして糞便からのウレアーゼが尿中の尿素をアンモニアに変換するのを阻止し、それにより比較的低い尿ｐＨレベルを維持することができる使い捨て排出物閉じ込め物品を提供することにある。
さらに又、本発明の目的は、ユーザが引き伸ばし可能な男性下着又は他の或る形式の封じ込め下着を着用している状態で利用できる１つ又は２つ以上の使い捨て排出物閉じ込め物品を提供することにある。
【００１６】
本発明の更に別の目的は、人により同時に着用される２つの別個独立の使い捨て排出物閉じ込め物品の組合せであって、一方が尿を収集し、他方が糞便を収集するようになった組合せを提供することにある。
【００１７】
本発明の他の目的及び利点は、以下の説明及び添付の図面を参照すると当業者には明らかになろう。
【図面の簡単な説明】
【００１８】
【図１】人体用接着剤、身体側層の外周部の内方に形成されたシール及び身体側層を貫通して形成され、人体排出物が人体に存在する排出物口から通過することができるようにする進入部を示す使い捨て排出物閉じ込め物品の正面図である。
【図２】２‐‐２線に沿って取った図１に示す使い捨て排出物閉じ込め物品の分解組立て側面図であり、層のうちの２つ又は３つ以上互いに結合するシールが設けられておらず、接着剤が人体の皮膚に取り付けられる前に汚染状態になるのを阻止するために接着剤を覆った取り外し可能な剥離層が設けられている状態を示す図である。
【図３】糞便を受け入れるよう設計されていて、人体に存在する排出物口と位置合わせされるよう設計された接着剤を備えると共に使い捨て排出物閉じ込め物品を着用者の皮膚に保持する余分の保持力を提供する間隔を置いた粘着ステッカを備えた使い捨て排出物閉じ込め物品の別の実施形態の正面図である。
【図４】図３に示す使い捨て排出物閉じ込め物品の分解組立て斜視図であり、接着剤を覆っている取り外し可能な剥離層を示す図である。
【図５】男性から尿を受け入れるよう設計された使い捨て排出物閉じ込め物品の更に別の実施形態を示す図である。
【図６】図５に示す使い捨て排出物閉じ込め物品の分解組立て斜視図であり、５つの別々の層を示す図である。
【図７】身体側層に形成されていて、一点から出た３本のスリットを有する進入部の拡大図である。
【図８】女性から尿を受け入れるよう設計されると共に楕円形の孔を備えた使い捨て排出物閉じ込め物品の更に別の実施形態を示す図である。
【図９】図８に示す使い捨て排出物閉じ込め物品の分解組立て斜視図であり、５つの別々の層を示す図である。
【図１０】ふき取りを保持するポケットが形成された衣服向き層の外面の平面図である。
【図１１】再密封可能なカバーを備えていて、使い捨て排出物閉じ込め物品を保持することができるパウチ又は袋の斜視図である。
【図１２】ステッカ及び取り外し可能な剥離層の平面図であり、ステッカが、剥離層を取り外した後に着用者の皮膚に直接取り付けられるよう設計されると共に排出物口を包囲するよう寸法決めされている状態を示す図である。
【図１３】図１２に示すステッカ及び剥離層の端面図である。
【図１４】図１２に示すステッカに取り外し可能に取り付けることができる糞便収集受け器の平面図である。
【図１５】ステッカ及び取り外し可能な剥離層の平面図であり、ステッカが、女性の皮膚に直接取り付けられるよう設計されると共に尿生殖部を包囲するよう寸法決めされた細長い形の進入部を有している状態を示す図である。
【図１６】男性の皮膚に直接取り付けられるよう設計されると共に男性の陰茎を包囲するよう寸法決めされた円形開口部が形成されているステッカの平面図である。
【図１７】図１６に示すステッカに取り外し可能に取り付けることができる尿収集受け器の平面図である。
【図１８】縦に半分にスライスされた女性の胴の概略側面図であり、尿道口に位置合わせされた使い捨て尿閉じ込め物品及び肛門外口と位置合わせされた使い捨て糞便閉じ込め物品を示す図であり、２つの物品が互いに間隔を置いて位置し、下着によって股部に隣接して保持されている状態を示す図である。
【図１９】縦に半分にスライスされた女性の胴の概略側面図であり、尿道口と位置合わせされた使い捨て尿閉じ込め物品及び肛門外口と位置合わせされた使い捨て糞便閉じ込め物品を示し、尿閉じ込め物品の少なくとも一部分が糞便閉じ込め物品の一部分とオーバーラップし、両方が下着によって股部に隣接して保持されている状態を示す図である。
【発明を実施するための形態】
【００１９】
図１及び図２を参照すると、人体に存在する排出物口のうちの１つからの人体排出物を収集することができる使い捨て排出物閉じ込め物品１０が示されている。使い捨て排出物閉じ込め物品１０は、長手方向中心軸線Ｘ‐‐Ｘ、横方向中心軸線Ｙ‐‐Ｙ（図１参照）及び垂直中心軸線Ｚ‐‐Ｚ（図２参照）を有している。排出物口は、女性の尿道、膣及び肛門並びに男性の尿道（男性陰茎内に位置している）及び肛門を含む。「使い捨て」という用語は、１回だけ使用されるよう設計されると共に製造され、次に、１回使用後破棄される物品を意味している。かかる使い捨て排出物閉じ込め物品１０は、リサイクル可能であり、堆肥にでき又は環境に適合した仕方で処分できる。使い捨て排出物閉じ込め物品１０は、選択されるようにはなっておらず、復元されるようになっておらず、或いは再使用されるようにはなっていない。「人体排出物」という用語は、尿、血液、月経時の流体、経血、液状糞便、半固形糞便及び固形糞便を意味している。尿道及び（又は）肛門のいずれかを通って消化後に排出される尿及び排泄物は、好都合には、１つ又は２つの使い捨て排出物閉じ込め物品１０によって捕捉できる。「肛門」という用語は、半固形及び固形排出物を人体から排出する際に通す消化管の下端部のところに位置する開口部を意味している。
【００２０】
使い捨て排出物閉じ込め物品１０は、第１の面１４及び外周部１６を備えた身体側層１２を有している。身体側層１２は、使い捨て排出物閉じ込め物品１０の着用者の身体又は皮膚に向いている。身体側層１２は、流体が通過するのを阻止するよう液体不浸透性である。身体側層１２は、液体不浸透性材料、例えば熱可塑性フィルムで作られるのが良く、或いは、液体不浸透性であるという特性を得るために処理され又は被覆されるのが良い。ポリエチレン、ポリプロピレン又はこれらの組合せで構成され又は形成されたポリオレフィンフィルムが、身体側層１２として利用できる良好な液体不浸透性材料である。身体側層１２は又、性質として液体不浸透性を備えた少なくとも１つの層を有する複合材料として形成されても良い。また、身体側層１２を通気性にし、空気及び蒸気がこの身体側層を通過することができるようにすることが有利である。さらに、身体側層１２は、布のような感触を備えた材料、触って軟らかい材料で作られるべきである。望ましくは、身体側層１２は又、音が立たず、圧縮され、折り畳まれ、しわくちゃにされる等されたときでも気になる騒音又は音を出さない材料で作られる。
【００２１】
身体側層１２は、当業者に知られている種々の材料で作ることができる。例えば、身体側層１２は、イスラエル国で市販されているHUGGIES使い捨ておむつに用いられている布状外側カバーを利用することができる。HUGGIESは、事務所がウィスコンシン州５４９５６ニーナーに所在するキンベリー‐クラーク・コーポレイション（Kimberly-Clark Corporation）の登録商標である。身体側層１２は又、米国特許第５，８６５，９２６号明細書に教示されている微孔質布状ラミネートで形成できる。上述したように、身体側層１２は又、適当な熱可塑性疲労材料で形成でき、かかる熱可塑性フィルム材料としては、ポリオレフィン、特にポリエチレン及びポリプロピレン、非晶質ポリオレフィン等が挙げられるが、これらには限定されない。身体側層１２は、更に、溶融可能な成分を含む材料、例えば繊維及び（又は）高分子結合剤で作ることができる。繊維は、天然繊維、例えばセルロース‐木材パルプ、綿、ジュート又はヘンプで作られるのが良い。変形例として、繊維は、合成繊維、例えばガラス繊維、レーヨン、ポリエステル、ポリオレフィン、アクリル樹脂、ポリアミド、アラミド、ポリテトラフルオロエチレン金属又はポリイミドで作っても良い。天然繊維と合成繊維の組合せも又使用できる。
【００２２】
結合剤が存在する場合、結合剤は、種々の材料で作ることができ、かかる材料としては、２成分高融点／低融点ポリマー、コポリマーポリエステル、ポリ塩化ビニル、ポリビニルアセテート／クロリドコポリマー、コポリマーポリアミド、成分材料のうちの幾つかが溶融可能ではないブレンドを含む材料が挙げられるが、これらには限定されない。身体側層１２は、更に、空気及び（又は）蒸気透過性材料で構成でき、かかる材料としては、微孔質フィルム、例えば米国イリノイ州所在のエクソン・ケミカル・カンパニー（EXXONX Chemical Co.）によりEXXAIREという表示名で供給されている微孔質フィルム又は日本国のミツイ・ケミカル・カンパニー（Mitsui Chemical Co.）によりESPOIRという表示名で供給されている微孔質フィルムが挙げられるが、これらには限定されない。身体側層１２は、更に、一体側通気性材料、例えばデュポン（DuPont）社から入手できるHYTREL又は仏国のイーエルエフ・アトシェム（ELF Atochem）から入手できるPEBAXで形成できる。望ましくは、身体側層１２は、着用者の身体によって出た水蒸気の取り込み及び凝縮の問題を回避するために気体、例えば空気及び蒸気、例えば水蒸気に対して透過性であるフィルムで構成される２つ以上の層を有するのが良い。身体側層１２を気体に対して透過性に作ることにより、使い捨て排出物閉じ込め物品１０の短い使用期間後に生じる場合のある厚く、じとじとしていて、しかも不快な状態を回避することができる。上述の通気性材料は、身体側層１２を作る際に用いるのに最適であるが、非通気性材料、例えば空気及び（又は）水蒸気に対して不透過性の材料も又、使用できる。非通気性材料は、性器が使い捨て排出物閉じ込め物品１０内に突き出ない用途では最適に使用できることが判明した。最後に、身体側層１２は、例えば米国特許第６，９１４，０１８号明細書に教示されている伸長可能、拡張可能又は遠心可能な性質を備えると共に（或いは）米国特許第６，６８５，６８５号明細書に教示されている折り畳み可能な性質を備えた材料で作られても良い。これら材料及び当業者に知られている他の材料を用いて身体側層１２を構成することができる。
【００２３】
身体側層１２も又、生分解性であり、生体適合性てあり且つ（或いは）堆肥にできる材料で作られるのが良い。「生分解性」という用語は、生物剤、特に細菌によって分解可能な材料を意味している。「生体適合性」という用語は、生きている組織に毒性、外傷性又は免疫反応を生じさせないことにより生物学的に適合可能な材料を有している。「堆肥にできる」という用語は、堆肥に変換可能な材料を意味している。
【００２４】
図２を参照すると、使い捨て排出物閉じ込め物品１０は、衣服に向いた層１８を更に有している。衣服向き層１８は、着用者の身体から遠ざかる方向に且つ着用者の下着の方へ向いている。衣服向き層１８は、外周部２０を有している。外周部２０は、身体側層１２の外周部１６とほぼ一致している。「ほぼ一致している」という表現は、約２５ミリメートル（ｍｍ）の距離の範囲内に位置することを意味している。衣服向き層１８も又、流体が通過するのを阻止するよう液体不浸透性である。身体側層１２と同様、衣服向き層１８は、液体不浸透性材料、例えば熱可塑性フィルムで作られるのが良く、或いは、液体不浸透性であるという特性を得るために処理され又は被覆されるのが良い。ポリエチレン、ポリプロピレン又はこれらの組合せで構成され又は形成されたポリオレフィンフィルムが、衣服向き層１８として利用できる良好な液体不浸透性材料である。衣服向き層１８は又、性質として液体不浸透性を備えた少なくとも１つの層を有する複合材料として形成されても良い。また、衣服向き層１８を通気性にし、空気及び蒸気がこの身体側層を通過することができるようにすることが有利である。さらに、衣服向き層１８は、布のような感触を備えた材料、触って軟らかい材料で作られるべきである。望ましくは、身体側層１２は又、音が立たず、圧縮され、折り畳まれ、しわくちゃにされる等されたときでも気になる騒音又は音を出さない材料で作られる。衣服向き層１８は、上述したような身体側層１２を作るために用いられたのと同一の材料で構成されても良く、別の材料で形成されても良い。衣服向き層１８は又、生分解性であり、生体適合性であり且つ（或いは）堆肥にできる材料で作られても良い。
【００２５】
また、身体側層１２と衣服向き層１８は、同一の無色の色（無彩色）であっても良く、スペクトルに関して白色と黒色との間の色のものであっても良く、或いは互いに異なる色で形成されていても良いことは注目されるべきである。「無色（無彩色）」という用語は、飽和度又は色相がゼロの色、例えば白色又は黒色を意味している。身体側層１２か衣服向き層１８かのいずれか或いは身体側層１２と衣服向き層１８の両方は、１又は２以上のあらかじめ選択された色を呈するよう着色、染色、コーティング、塗装等が施されていても良く、或いは、着色フィラメント、着色繊維及び（又は）着色結合剤で形成されていても良い。
【００２６】
使い捨て排出物閉じ込め物品１０は、身体側層１２と衣服向き層１８との間に配置された吸収層２２を更に有している。吸収層２２は、織布で作られても良く、不織布で作られても良い。望ましくは、布は、不織材料である。「織（布）」は、例えば織編、編組等の手段によって繊維を絡み合わせることによって作られた布を意味している。「不織（布）」は、織編以外の手段によって互いに保持された１本又は２本以上の天然繊維及び（又は）合成繊維で作られた布を意味している。不織布は、一般に、繊維織物、繊維編物等を含まない。「布」という用語は、構造材料を意味している。
【００２７】
不織布を形成するために使用できるプロセスの適当な例としては、スパンボンド法、メルトダウン法、コフォーム（coform）、水流交絡法、スルーエアーボンド式カードウェブ法、ニードルパンチ法及びエアレード法が挙げられるが、これらには限定されない。望ましくは、スルーエアーボンド式カードウェブ法が利用される。
【００２８】
吸収層２２は、長さ、幅及び厚さを備えた三次元材料であるのが良い。望ましくは、吸収層２２は、嵩張った布である。「嵩張った」という表現は、吸収層２２の厚さが約０．６ｍｍ〜約６ｍｍであることを意味している。望ましくは、吸収層２２の厚さは、約１ｍｍ〜約４ｍｍである。より望ましくは、吸収層２２の厚さは、約１ｍｍ〜約３ｍｍである。吸収層２２は、結合剤、即ち液状接着剤及び高吸収体を取り付けることができる布地コンポーネントを有する。これらの厚さの範囲は、布の基本重量が約２５ｇｓｍ〜約１００ｇｓｍであり、嵩密度が約０．０２５ｇ／ｃｃ〜約０．０５ｇ／ｃｃであり、高吸収体の基本重量が約１００ｇｓｍ〜約１，０００ｇｓｍであり、嵩密度が約０．５ｇ／ｃｃ〜約０．９ｇ／ｃｃであることを仮定している。
【００２９】
密度を計算する目的で、旧称が「ＥＤＡＮＡ推奨試験（ＥＲＴ）３０．５．９９」である組み合せ型ＥＤＡＭＡ／ＩＮＤＡ試験手順ワールド・サプライ・パートナーズ（World
Supply Partners: ＷＳＰ）を用いて吸収層２２の厚さを測定する。
【００３０】
吸収体２２は、再生可能な材料を含む種々の材料から作られるのが良い。「再生可能材料」という用語は、再生可能であり又は新たな成長によって置き換え可能な材料を意味している。吸収層２２は又、生分解性であり、生体適合性であり且つ（或いは）堆肥にできる材料で作られるのが良い。吸収層２２について作用上良好な材料は、捕捉／分布層、分布層及び（又は）サージ（surge）とも通称されている捕捉層を構成するために現在用いられている材料である。かかる捕捉層は、一般に、使い捨て吸収物品、例えば乳児及び幼児用おむつ、子供ケアトレーニングパンツ、大人用失禁製品、生理用ナプキン、パンティーライナ等に用いられている。吸収層２２の布地コンポーネントは、体液、例えば尿、血液、液状糞便等をｚ方向にかかる布地コンポーネントを下方に迅速に浸透させることができることが必要である。加うるに、吸収層２２の布地コンポーネントは、体液が使い捨て排出物閉じ込め物品１０の第１の面１４に平行に整列した平面内で分散することができるようにすることが必要である。吸収層２２の一部をなすかかる布地は、一般に、比較的開いていて、少なくとも２種類の互いに異なる繊維サイズを備えた低密度の繊維構造を有すると共に大きな表面積を有するものとして特徴づけられる。
【００３１】
吸収層２２は、約０．０５グラム／立方センチメートル（ｇ／ｃｃ）〜約０．６ｇ／ｃｃの密度を有するべきである。望ましくは、吸収層２２の密度は、約０．０７ｇ／ｃｃ〜約０．４ｇ／ｃｃであるべきである。より望ましくは、吸収層２２の密度は、約０．０３ｇ／ｃｃ以下であるべきである。さらにより望ましくは、吸収層２２の密度は、約０．０９ｇ／ｃｃ〜約０．３ｇ／ｃｃであるべきである。
【００３２】
吸収層２２の布地コンポーネントは、体液を迅速に吸収するだけでなく、この布地コンポーネント中に配置され、布地コンポーネント上に配置され又は布地コンポーネントに取り付け可能な高吸収体の逃げ出しを最小限に抑えることができることが必要である。吸収層２２の布地コンポーネントを比較的大きな空隙率と組み合わせて十分に小さく且つ曲がりくねった細孔を有するよう構成することにより、これを達成することができる。さらに、吸収層２２の布地コンポーネントの繊維表面積（即ち、低密度／大きな空隙率）は、約１，０００ｃｍ2／ｇ以上であるべきである。この繊維表面積は、設けられている高吸収体の逃げ出しを最小限に抑えるようにするのを助ける。望ましくは、吸収層２２の布地コンポーネント中の繊維表面積は、約１，５００ｃｍ2／ｇ以上である。より望ましくは、吸収層２２の布地コンポーネント中の繊維表面積は、約２，０００ｃｍ2／ｇ以上である。
【００３３】
理解されるべきこととして、当業者であれば、次の方法によって繊維の表面積を求めることができる。丸い繊維の場合、表面積は、公式４／（Ｄ×ρ）を用いて計算され、この式において、繊維直径Ｄの単位は、センチメートル（ｃｍ）であり、密度ρの単位は、ｇ／ｃｃである。デニールｄ及び密度ρで表すと、この公式は、３３６３／（ｄ×ρ）1/2である。
【００３４】
吸収層２２の布地コンポーネントも又、長さ、幅及び厚さを備えた三次元材料である。望ましくは、布地コンポーネントは、嵩張った不織布である。布地成分の厚さは、約０．５ｍｍ〜約５．９ｍｍである。望ましくは、布地コンポーネントの厚さは、約０．９ｍｍ〜約３．９ｍｍである。より望ましくは、布地コンポーネントの厚さは、約０．９ｍｍ〜約２．９ｍｍである。布地コンポーネントの密度は、約０．０５ｇ／ｃｃ以下であるべきである。望ましくは、布地コンポーネントの密度は、約０．０４ｇ／ｃｃ以下であるべきである。より望ましくは、布地コンポーネントの密度は、約０．０３ｇ／ｃｃ以下であるべきである。さらにより望ましくは、布地成分の密度は、約０．０２５ｇ／ｃｃ以下であるべきである。吸収層２２の布地コンポーネントが低密度であることにより、体液は、布地コンポーネントの厚さを容易に通過して高吸収体２８に接触することができる。
【００３５】
異形断面繊維（即ち、非丸形繊維）、例えば異形断面ステープル繊維又は異形断面溶融押し出し繊維若しくはスリット可能な繊維で構成されたウェブ中の繊維表面積は、ジャーナル・オブ・ジ・アメリカン・ケミカル・ソサイエティ（Journal of the American Chemical Society）６０，３０９（１９３８）で公表され、材料表面を取り扱う多くの教科書、例えばアーサー・ダブリュ・アダムソン（Arthur W. Adamson）著，「フィジカル・ケミストリー・オブ・サーフィシーズ（Physical Chemistry of Surfaces）」，第３版追補，ジョン・ワイリー・アンド・サンズ（Jhon Wiley & Sons），１９７６，チャプターＸＩＩＩ及びＸＩＶに記載されたブリューナー、エメット及びテラーのＢＥＴ法によって測定できる。このＢＥＴ法を参照により引用し、その記載内容全体を本明細書の一部とする。
【００３６】
ＢＥＴ法では、気体分子の単分子層を繊維表面に吸着させる。繊維上に存在する気体の量に関する計算により、繊維表面積の値の定量化が得られる。この方法は、繊維ウェブ、例えば紙、充填材及びフィルタ材料に関する製紙業界でかなり日常的に利用されている。
【００３７】
吸収層２２の布地コンポーネントは、幾分耐圧縮性であるべきであり、しかも比較的弾性であるべきである。吸収層２２の布地コンポーネントは、第１の直径の２成分バインダー繊維をこれよりも大きい第２の直径のポリエステル繊維に接合したものを用いたスルーエアーボンド不織布であるのが良い。不織布の２成分繊維は、例えばポリプロピレンコアを備えたポリエチレンシースで構成されたものであるのが良く、シース材料は、効果的な熱的接触のためにコア材料よりも融点が低い。この種のハイロフト（hi-loft）材料は、イスラエル国アッパー・ガリリキブツシャミール所在のシャラグ・インダストリーズリミテッド（Shalag Industries Ltd., ）から市販されている。この材料は、STAPTE-35として市販されており、これは、ポリエチレン／ポリエステル２成分繊維又はポリエチレン／ポリプロピレン２成分繊維及びポリエステルステープル繊維を含むハイロフト不織ウェブである。三次元布１０として有用な他の適当な材料は、エベレット等に付与された米国特許第５，５６２，６５０号明細書、エリス等に付与された同第５，４９０，８４６号明細書、ラティマー等に付与された同第５，３６４，３８２号明細書、アレン等に付与された同第５，５２２，８１０号明細書及びビショップ等に付与された同第５，４８６，１６６号明細書に教示されている。これら米国特許を参照により引用し、これらの記載内容を本明細書の一部とする。
【００３８】
吸収層２２の布地コンポーネントは又、再生可能な資源を利用した繊維、例えばミネソタ州ミネアポリス所在のネーチャーワークス・エルエルシー（NatureWorks, LLC）により作られたINGEO繊維で構成されても良い。さらに、吸収層２２は、再生利用ポリマーで作られても良く、それにより費用効果が向上すると共に環境に対する衝撃が改善される。「再生利用」という用語は、廃棄物から有用な材料を抽出すること、サイクルを再び受けさせ又はサイクルを再び通し、再使用のために廃棄物に見られる材料を抽出し、特に再処理し、再び使用することを意味している。
【００３９】
吸収層２２は、身体側層１２の外周部１６及び（又は）衣服向き層１８の外周部２０にほぼ一致した外周部２４を有している。変形例として、吸収層２２の外周部２４は、身体側層１２及び（又は）衣服向き層１８のそれぞれの外周部１６又は２０よりも非常に小さいのが良い。例えば、吸収層２２の寸法形状により、吸収層２２は、身体側層１２と衣服向き層１８との間に完全に包囲してサンドイッチすることができる。望ましくは、吸収層２２の外周部２４は、身体側層１２の外周部１６と一致すると共に衣服向き層１８の外周部２０と一致し、その結果、３つ全ての層は、同一の寸法形状を有し、所望ならばこれら３つの層を互いに容易に結合することができるようになる。
【００４０】
吸収層２２は、高吸収体２８を含む第１の主要な面２６を更に有している。第１の主要面２６は、衣服向き層１８の方へ向いている。高吸収体２８を液状接着剤（図示せず）又は当業者に知られている任意他の手段によって第１の面２６に取り付けるのが良い。液状接着剤は、種々の液体を主成分とする接着剤から形成できる。良好に働く液状接着剤の一例は、ミスティング及びコブウェビングが最小限の低圧吹き付けが可能であり、しかも広い被覆面積及び長い結合範囲を提供する吹き付け可能な合成エラストマーを主成分とするポリウレタン系接着剤である。この液状接着剤は、ミネソタ州セントポール所在のスリーエム・カンパニー（3M Company）によって市販されているFastBond 77である。この液状接着剤は、粘着性が高く且つ被覆面積が広い長く結合する結合部が得られるよう吸水性が低く、速乾性である。液状接着剤を吹き付けにより、液滴形態で塗布することにより、印刷することにより、小さな粒子又は微小スプレーの状態に噴霧することにより、加圧空気と混合すること等により第１の面２６に塗布することができ、そして吸収層２２の方に差し向けることができる。「吹き付け（スプレー）」という用語は、接着剤がひとかたまりの分散液滴の状態で、例えば加圧源から放出された細かい液体ジェットの状態で動くことを意味している。
【００４１】
変形例として、特に魅力的な印刷法は、例えば、「キス」ロール（即ち、トランスファーロール）印刷であり、この場合、「キス」ロールは、液状接着剤中に部分的に浸漬され、かかる「キス」ロールは、布地が回転「キス」ロール上を通過しているときに液状接着剤をその表面から布地に移す。材料を非連続的に塗布するこの技術を用いる方法は、当業者には知られている。特に、米国特許第５，７０９，７４７号明細書、同第５，８８５，６５６号明細書及び同第６，１８３，８４７号明細書に教示されている方法も又利用でき、かかる方法では、シールド、シャッタ及び隆起領域が、非連続材料塗布のために用いられる。他の印刷法、例えばグラビア印刷法も又利用できる。
【００４２】
一般に、接着剤が液体のままである限り、例えば、所与の期間にわたって流動可能又は変形可能である限り、液状接着剤を塗布する任意のシステムを利用することができる。次に、高吸収体２８を吸収層２２上に配置し又は被着させる。接着剤は、高吸収体２８がこれにくっつくことができるようにするために液状又は半液状のままであり又は短時間にわたり粘着性のままであるべきである。
【００４３】
高吸収体２８は、ヒドロゲル又は親水コロイド材料である。望ましくは、高吸収体２８は、１種類又は２種類以上の再生可能な材料で作られる。高吸収体２８は又、生分解性であり、生体適合性であり且つ（或いは）堆肥にできる材料で作られるのが良い。高吸収体２８は、架橋された液体重合又は懸濁重合ヒドロゲル形成材料であるのが良い。高吸収体２８は、少なくとも何種類かの天然系の材料を含むのが良い。一般に、高吸収体２８は、合成物又は人造材料を含む。
【００４４】
高吸収体２８は、通常、使い捨て排出物閉じ込め物品１０が捕捉できる流体の量を増大させると共にその流体保持性能を向上させるために使い捨て排出物閉じ込め物品１０に加えられる。高吸収体２８は、個々の粒子の形態、粉末の形態又は繊維の形態をしているのが良い。望ましくは、高吸収体２８は、粒子の形態をしている。高吸収体２８は、粒子又は繊維の形態をしている場合、鋭利な縁又はコーナ部を備えてはならない。例えば、高吸収体２８は、懸濁重合プロセスで作られた場合、一般に、尖った縁を備えない。高吸収体２８が溶液重合法で作られた場合、当業者に知られている方法により粒子から鋭利な縁又はコーナ部を除去するよう高吸収体２８を処理し又は加工するのが良い。この特徴は、高吸収体２８が隣接の層、特に衣服向き層１８を突き又はこれに穴若しくは開口部を形成することがないようにするのを助ける。
【００４５】
高吸収体２８は、一般に強固であって且つ剛性であるべきであり、拘束力を受けて体液を吸収する能力を備えるべきであり、その結果、高吸収体２８を膨潤させたとき、浸透性のままである高吸収体ゲル床が得られる。望ましい高吸収体を性格づける種々の特性は、当業者に知られている。高吸収体２８は、粒子の形態をしている場合、０．６ｐｓｉで測定した負荷時吸収度（ＡＵＬ）の値が約２０グラム／グラム（ｇ／ｇ）以上であるべきである。より望ましくは、高吸収体２８は、粒子の形態をしている場合、０．６ｐｓｉで測定した負荷時吸収度（ＡＵＬ）の値が約２３グラム／グラム（ｇ／ｇ）以上であるべきである。さらにより望ましくは、高吸収体２８は、粒子の形態をしている場合、０．６ｐｓｉで測定した負荷時吸収度（ＡＵＬ）値が約２５グラム／グラム（ｇ／ｇ）以上であるべきである。
【００４６】
高吸収体２８は、粒子の形態をしている場合、吸収層２２に対するその通過を最小限に抑えるほど大きく且つ不快感を最小限に抑えると共に隣接の層への損傷を最小限に抑えるほど小さいことが必要である。したがって、粒子の形態をしている場合に高吸収体２８の少なくとも約９８％は、約４５マイクロメートル〜約８４０マイクロメートルであるべきである。望ましくは、高吸収体２８の粒子は、約６５マイクロメートル〜約８００マイクロメートルであるべきである。より望ましくは、高吸収体２８の粒子は、約１５０マイクロメートル〜約６００マイクロメートルであるべきである。さらにより望ましくは、高吸収体２８の粒子は、約２００マイクロメートル〜約６００マイクロメートルであるべきである。
【００４７】
高吸収材料の粒径は、粒子の形態をしている場合、ふるいによる粒径分析法によって求めることができる。異なるサイズの開口部を備えたふるいのスタックを用いると、所与のサンプルの粒径分布を求めることができる。例えば、原理的には、開口部が６００マイクロメートルのふるい上に保持された粒子は、６００マイクロメートル以上の粒径を有するものと考えられる。
【００４８】
高吸収体粒径を求める一方法は、開口部が８４１マイクロメートル（米国ふるい番号２０）、７０７マイクロメートル（米国ふるい番号２５）、５９５マイクロメートル（米国ふるい番号３０）、２１０マイクロメートル（米国ふるい番号７０）、１４９マイクロメートル（米国ふるい番号１００）、１０５マイクロメートル（米国ふるい番号１４０）及び４４マイクロメートル（米国ふるい番号３２５）のふるいを用い、これらを最も大きい開口部がスタックの頂部上に位置し、最も小さい開口部がスタックの底部上に位置した状態で開口部の大きさの順番に配置することである。スタックをパンの頂部上に配置する。次に、高吸収粒子の２５グラム〜１００グラムサンプルを開口部の最も大きなふるいの中に配置する。ふるいスタックをオハイオ州メンター所在のダブリュ・エス・タイラー（W. S. Tyler）社から入手できるＲｏ‐Ｔａｐ機械式ふるいシェーカモデルビー（Ro-Tap Mechanical Sieve Shaker, Model B）又は他の同様な振動装置で揺さぶる。振動の完了後、各ふるい上に保持されている高吸収体粒子を秤量し、そして記録する。サイズの異なるふるい上に保持された重量を初期サンプル重量で除算して各ふるい上に保持されている高吸収体の割合を求める。大きなふるいを通過し、小さなふるい上に保持された高吸収体の合計が約９８％以上であれば、粒子は、関心のある範囲内に納まっていると考えられる。例えば、高吸収体の９８％以上が米国ふるい番号２０を通過し、米国ふるい番号３２５上に保持されたとすれば、本発明の目的上、この高吸収体の粒径は、約４５マイクロメートル〜８４０マイクロメートルである。同様に、高吸収体の９８％以上が米国ふるい番号２５を通過し、米国ふるい番号１４０上に保持されたとすれば、本発明の目的上、この高吸収体の粒径は、約１０５マイクロメートル〜７０５マイクロメートルである。
【００４９】
本発明に適していることが判明した高吸収体２８の一例は、日本国東京都所在のサン‐ディア・ポリマーズ・リミテッド（San-Dia Polymers, Ltd.,）により製造されたSanwet KC-770である。本発明に適していると考えられる別の高吸収体の一例は、これ又サン‐ディア・ポリマーズ・リミテッドにより製造されたSanwet IM-930である。これら特定の高吸収体は、部分的に架橋された溶液重合ポリアクリル酸ナトリウムである。より丸く且つ幅の狭い粒径分布を持つ他の適当な高吸収体としては、これ又サン‐ディア・ポリマーズ・リミテッドにより製造されたAquapearl DS50T1及び日本国大阪所在のスミトモ・セイカ・ケミカルズ・カンパニー・リミテッド（Sumitomo Seika Chemicals Company Ltd.,）により製造されたAqua Keep SA55SX IIが挙げられる。これら最後の２つの高吸収体は、懸濁重合され部分的に架橋されたポリアクリル酸ナトリウムとしての高吸収体である。本発明に用いることができる更に別の許容できる高吸収体としては、ノースカロライナ州シャーロット所在のＢＡＳＦ、ノースカロライナ州グリーンズボロ所在のデガッサ（Degussa）から入手できる高吸収体、日本国大阪所在のニッポン・ショクバイ（Nippon Shokubai）から入手できる高吸収体及び英国グリムズビー所在のテクニカル・アブソーベンツ・リミテッド（Technical Absorbents Ltd.,）により例えばOasisとして販売されている高吸収性繊維（ＳＡＦ）が挙げられる。さらに別の他の適当なヒドロゲル形成材料としては、種々の供給業者から入手できる天然系資源で始まる材料が挙げられる。スーパーナチュラル吸収ポリマー（SuperNatural Absorbing polymers（ＳＮＡＰｓ））は、事務所がイリノイ州デカーターに所在するアーチャー・ダニエルズ・ミッドランド（Archer Daniels Midland）により製造されている。例えば米国特許６，８３３，４８８号明細書に教示されている生体適合性生分解性ポリマーを使用することができる。米国特許第６，８３３，４８８号明細書を参照により引用し、その教示内容を本明細書の一部とする。
【００５０】
高吸収体２８を種々の仕方で吸収層２２に付着させることができる。これら方法としては、堆積、重力落下、計量、吹き込み、シフト、真空又は吸引力を用いた塗布又は当業者に知られている他の手段が挙げられるが、これらには限定されない。高吸収体２８を吸収層２２に均一に塗布して縦方向及び（又は）横方向における粒子、粉末又は繊維の一様な分布を生じさせるのが良い。変形例として、高吸収体２８を非一様なパターンで吸収層２２に塗布しても良い。望ましくは、高吸収体望ましくは、高吸収体２８は、吸収層２２が縦方向に送り進められ又は動かされているときに被着される。ソレノイド弁又は当業者に知られている他の装置を用いて高吸収体２８をホッパからパルス化しても良い。理解されるべきこととして、高吸収体２８は、吸収層２２の第１の主要面２６に塗布できる液状接着剤にくっつくことになる。
【００５１】
再び図１を参照すると、使い捨て排出物閉じ込め物品１０は、身体側層１２の少なくとも一部分を衣服向き層１８に結合して内容積部３１を形成するシール３０を更に有している。内容積３１は、約１００ｍｌ〜約２，０００ｍｌであるのが良い。望ましくは、内容積３１は、約２００ｍｌ〜約１，５００ｍｌである。より望ましくは、内容積３１は、約３００ｍｌ〜約１，２００ｍｌである。さらにより望ましくは、内容積３１は、約１，０００ｍｌ又は１リットルである。内容積部３１は、人体排出物が使い捨て排出物閉じ込め物品１０に入ると拡張することができる。注目されるべきこととして、使い捨て排出物閉じ込め物品１０は、拡張できるよう１つ又は２つ以上の折り目、プリーツ、ベロー等（図示せず）を有するのが良い。変形例として、身体側層１２及び（又は）衣服向き層１８は、伸長可能な又は弾性材料で作られても良い。
【００５２】
シールは、身体側層１２の少なくとも一部分、衣服向き層１８及び吸収層２２を互いに固定すると共にこれらを結合する。より望ましくは、シール３０は、使い捨て排出物閉じ込め物品１０の１つ１つの層を残らず互いに結合する。変形例として、シール３０は、使い捨て排出物閉じ込め物品１０の選択された層を互いに結合しても良い。シール３０は、外周部１６の内方に配置された状態で示されている。シール３０が外周部１６から内方に位置する距離ｄは、様々であって良い。望ましくは、距離ｄは、約０．５ミリメートル（ｍｍ）に等しく又はこれよりも大きい。より望ましくは、距離ｄは、約１ｍｍに等しく又はこれよりも大きい。注目されるべきこととして、距離ｄは、使い捨て排出物閉じ込め物品１０の全体的な寸法及び形状並びにシール３０の形状及び位置に応じて様々であって良い。オプションとして、シール３０は、所望ならば、外周部１６まで延びても良い。シール３０が外周部１６の内方に配置されると、使い捨て排出部閉じ込め物品１０の縁部は、軟質であるということが判明した。使い捨て排出物閉じ込め物品１０の縁部を剛性に、硬質に、研磨性に又は尖鋭に作るのを回避することが望ましい。というのは、使い捨て排出物閉じ込め物品１０の縁部は、使用中、ユーザの内側大腿、脚又は臀部に接触する場合があるからである。使い捨て排出物閉じ込め物品１０は、人により着用されているとき、快適であることが必要である。
【００５３】
シール３０は、超音波により、熱、圧力、熱及び圧力の組合せを用いることにより、グルーを用いることにより、接着剤を用いることにより又は任意他の形式の密封及び（又は）結合技術又は当業者に知られている材料を用いることにより形成できる。シール３０は、図１に示されているように連続線であるのが良い。変形例として、シール３０は、断続線、連続線と断続線の組合せ、２本又は３本以上の線等であっても良い。望ましくは、シール３０は、使い捨て排出物閉じ込め物品１０の周りに完全に延びる連続線である。シール３０の幅ｗは、約１ミリメートル（ｍｍ）〜約５０ｍｍであるのが良い。望ましくは、シール３０の幅は、約１ｍｍ〜約１０ｍｍである。より望ましくは、シール３０の幅ｗは、約１ｍｍ〜約５ｍｍである。
【００５４】
シール３０の目的は、身体側層１２を衣服向き層１８に取り付けたままにすることができることにあり、その結果、流体又は液体、特に尿及び半固形糞便及び固形糞便を捕捉してこの中に保持することができるようになっている。理解されるべきこととして、使い捨て排出物閉じ込め物品１０は、人体の単一の口を覆って位置決めされる。したがって、使い捨て排出物閉じ込め物品１０は、１つの口だけから人体排出物を受け入れ、したがって、尿は、糞便と混ざり合わない。というのは、尿と糞便は各々、別々の人体口を通って人体から排泄されるからである。シール３０は、人体排出物が使い捨て排出物閉じ込め物品１０内に受け入れられているとき、身体側層１２と衣服向き層１８が互いに遠ざかるのを阻止してはならない。しかしながら、シール３０は、使い捨て排出物閉じ込め物品１０に入った人体排出物が漏れ又はしみ出て戻るのを阻止する上で有利である。
【００５５】
依然として図１及び図２を参照すると、使い捨て排出物閉じ込め物品１０は、身体側層１２に形成された進入部３２を更に有している。「進入部」という用語は、入る手段又は入る場所を意味している。進入部３２は、身体側層１２を完全に貫通し、人体に存在する排出物口のうちの１つと位置合わせされるよう設計されている。進入部３２は、人体に存在する単一の口から放出され又は排出された流体、半固形人体排出物及び（又は）固形人体排出物を通過させて使い捨て排出物閉じ込め物品１０内に集めて保持することができるのに十分な大きさ及び寸法のものである。進入部３２は、任意所望の幾何学的形状に形成でき、かかる形状としては、丸形、円形、長円形、楕円形、正方形、長方形、三角形、競技場の形等が挙げられるが、これらには限定されない。進入部３２も又、大きさが様々であって良いが、少なくとも、これが当てられる排出物口の長さ及び幅を横切って完全にまたがるのに十分大きいことが必要である。
【００５６】
図１及び図２では、進入部３２は、最小内寸ｄ1の円の形をした拡大孔３４として示されている。図１及び図２では、最小内寸ｄ1は、内径に等しい。「拡大孔」という表現は、使い捨て排出物閉じ込め物品１０が当てられる人体に存在する排出物口に等しい又は望ましくはこれよりも大きい開口部を意味している。拡大孔３４の最小内寸ｄ1は、これが包囲する排出物口に少なくとも等しいことが必要である。拡大孔３４は、約１ｍｍ〜約１０ｍｍの最小内寸ｄ1を有する。女性の場合、拡大孔３４は、尿生殖部全体を包囲するのが良い。「尿生殖部」という用語は、尿道及び膣を含む大陰唇により定められる領域を意味している。拡大孔３４の最小内寸ｄ1は、少なくとも約１０ｍｍであることが必要である。望ましくは、拡大孔３４の最小内寸ｄ1は、少なくとも約２５ｍｍである。より望ましくは、拡大孔３４の最小内寸ｄ1は、少なくとも約５０ｍｍである。さらにより望ましくは、拡大孔３４の最小内寸ｄ1は、少なくとも約７５ｍｍである。
【００５７】
進入部３２は、人体に存在する排出物口のうちの１つを完全に包囲すると共にこれを越えて延びるのに十分な寸法形状のものであることが必要であるが、使い捨て排出物閉じ込め物品１０の内部の人体排出物まで不必要に着用者の皮膚のうちの多くの量を露出させない程大きくはないことが必要である。上述したように、女性の場合、進入部３２は、尿生殖部を包囲するのが良い。望ましくは、拡大孔３４の最小内寸ｄ1は、排出物口が開放位置にあるとき、拡大孔が使用中に重ね合わされる排出物口よりも少なくとも約１ｍｍ大きい。より望ましくは、拡大孔３４の最小内寸ｄ1は、排出物口が開放位置にあるとき、拡大孔が使用中に重ね合わされる排出物口よりも約１０ｍｍ〜約１００ｍｍ大きい。さらにより望ましくは、拡大孔３４の最小内寸ｄ1は、排出物口が開放位置にあるとき、拡大孔が使用中に重ね合わされる排出物口よりも約２０ｍｍ〜約７５ｍｍ大きい。人間の高さ、体重及び体の形状は大きなばらつきがあるので、進入部３２は、種々の個人に適合するよう種々のサイズに形成されるのが良い。例えば、幼児の肛門外口は、大人の肛門外口よりも非常に小さいであろう。
【００５８】
理解されるべきこととして、拡大孔３４が円形又は丸形ではなく、これとは異なり他の何らかの幾何学的形状のものである場合、拡大孔の最小内寸ｄ1は、排出物口が開放位置にあるとき、拡大孔が使用中に重ね合わされる排出物口に等しく又はこれよりも大きいことが必要である。さらに、女性の場合、拡大孔は、尿生殖部全体を包囲するのが良い。
【００５９】
依然として図１及び図２を参照すると、使い捨て排出物閉じ込め物品１０は、身体側層１２の第１の面１４の少なくとも一部分に固定された接着剤３６を更に有する。接着剤３６は、進入部３２を少なくとも部分的に包囲し、望ましくは、進入部３２を全体的に包囲する。接着剤３６は、任意の幾何学的形状に形成できる。図１及び図２では、接着剤３６は、幅ｗ1の円形リングとして示されている。接着剤３６の幅ｗ1は、約１ｍｍ〜約４０ｍｍであるのが良い。望ましくは、接着剤３６の幅ｗ1は、約５ｍｍ〜約３０ｍｍであるのが良い。より望ましくは、接着剤３６の幅ｗ1は、約５ｍｍ〜約２５ｍｍであるのが良い。さらにより望ましくは、接着剤３６の幅ｗ1は、約１０ｍｍ〜約２０ｍｍであるのが良い。また、接着剤３６は、内面３８、外面４０、内周部４２及び外周部４４を有している。内面３８は、身体側層１２の第１の面１４に固定され、外面４０は、排出物口を包囲した着用者の皮膚に取り付け可能である。上述したように、内周部４２は、使い捨て排出物閉じ込め物品１０が当てられるべき排出物口を包囲するのに十分な寸法のものであり、望ましくは、正しく機能するよう大径である。
【００６０】
接着剤３６は、人体の皮膚に直接取り付けられるよう設計された人体用接着剤である。種々の人体用接着剤を利用することができ、かかる人体用接着剤は、当業者には周知である。例えば、接着剤３６は、ヒドロゲル及び（又は）親水コロイド接着剤である。ヒドロゲル及び親水コロイド接着剤は、これらが湿潤すると膨潤する傾向があり、それによりガスケット領域に漏れが生じないようにする点において特に望ましい。接着剤３６も又、生分解性であり、生体適合性であり且つ（或いは）堆肥にできる材料で作られるのが良い。接着剤３６は、人体の尿生殖部及び（又は）肛門周囲部の人間の皮膚との適合性がなければならない。接着剤３６は又、恐らく特に股部の体毛に接触することになる。接着剤３６は、使い捨て排出物閉じ込め物品１０を人体に固定すると共に比較的快適な仕方で皮膚から剥がし又は取り外すことができるほど十分な強度を備えなければならない。接着剤３６は、様々な量で存在しても良い。接着剤３６は、身体側層１２の第１の面１４に接着両面被覆状態の折り基材、不織基材又はフィルム基材として、あらかじめ作られた接着フィルムとして、被膜として、スプレーとして、スロット被膜として被着され、ブラシ掛け、塗装、ロール塗り、滴下等が行われても良い。接着剤３６を人体側層１２に被着させ又は固定するこれら手段及び他の手段は、当業者には周知である。身体側層１２に被着される接着剤３６の量は、１平方メートル当たり約１０グラム（ｇｓｍ）〜約３５０ｇｓｍであるのが良い。この量は、使い捨て排出物閉じ込め物品１０の全体的大きさ及び吸収性能に応じ、大抵の用途について十分であるはずである。望ましくは、身体側層１２に被着される接着剤３６の量は、接着剤がヒドロゲル又は親水コロイド系接着剤である場合、約１００ｇｓｍ〜約３００ｇｓｍであるのが良い。より望ましくは、身体側層１２に被着される接着剤３６の量は、接着剤がヒドロゲル又は親水コロイド系接着剤である場合、約１５０ｇｓｍ〜約２５０ｇｓｍであるのが良い。さらにより望ましくは、身体側層１２に被着される接着剤３６の量は、接着剤がヒドロゲル又は親水コロイド系接着剤である場合、約１５７ｇｓｍ〜約２２５ｇｓｍであるのが良い。
【００６１】
変形例として、接着剤３６が非ヒドロゲル感圧接着剤、例えばアクリレート系接着剤である場合、これよりも少ない量の接着剤で十分である場合がある。望ましくは、接着剤３６が非ヒドロゲル感圧人体用接着剤である場合、身体側層１２に被着される接着剤３６の量は、約１０ｇｓｍ〜約１００ｇｓｍであるのが良い。より望ましくは、接着剤３６が非ヒドロゲル感圧人体用接着剤である場合、身体側層１２に被着される接着剤３６の量は、約２０ｇｓｍ〜約８０ｇｓｍであるのが良い。
【００６２】
また、身体側層１２に被着される接着剤３６の量が厚さの面で特定できることは理解されるべきであり、当業者であれば、被着されることが必要な接着剤３６の当量をｇｓｍで表して容易に計算することができる。
【００６３】
さらに、接着剤３６が接着剤を両面に塗布した基材（２つの互いに反対側の表面が接着剤で被覆された基材）の形態している場合、基材は、通気性であるのが望ましい。特徴としての通気性は、例えば多孔質又は微孔質フィルム、不織布又は通気性布を用いることによって得られる。かかる材料は、ミネソタ州セントポール所在のスリーエム・メディカル・スペシャリティーズ（3M Medical Specialties）から製品番号９９１７である3M Double Coated Medical Tapeという表示名で入手できる。
【００６４】
利用できる特定の人体用接着剤の他の例としては、繊維強化アクリレート系接着剤、例えば製品番号１５２４である3M Medical Transfer Adhesive及びヒドロゲル系接着剤製品番号９８８０である3M 18mil Hydrogel Adhesiveが挙げられ、これらは両方共、ミネソタ州セントポール所在のスリーエム・メディカル・スペシャリティーズから入手できる。使用可能な別のヒドロゲル系接着剤は、英国ウィルトシャー所在のファースト・ウォーター・リミテッド（First Water Limited）から入手できる製品番号FW 656-222である。
【００６５】
人体用接着剤の追加の望ましい特徴は、これがスリーエムの接着剤である製品番号９９１７及び１５２４で得られるように低アレルギー性であるということである。人体用接着剤は又、スリーエム接着剤である製品番号９９１７の場合のように皮膚に繰り返し接触できるよう特別に設計されているのが良い。
【００６６】
図２を参照すると、接着剤３６の上に位置してこれを覆うよう寸法決めされた取り外し可能な剥離層４６が示されている。取り外し可能な剥離層４６は、接着剤３６の外周部４４に等しい又はこれよりも僅かに大きい外周部４８を有している。図２では、取り外し可能な剥離層４６は、円板として示されている。ただし、この剥離層は、任意所望の幾何学的形状のものであって良い。例えば、取り外し可能な剥離層４６は、円形リングとして形成されても良い。剥離層４６は、接着剤３６が人体の皮膚への使い捨て排出物閉じ込め物品１０の取り付けに先立って、汚染状態になるのを阻止するよう働く。使い捨て排出物閉じ込め物品１０を着用者の皮膚に当てる前に、剥離層４６を取り外して捨てる。接着剤３６を清潔な状態に且つ異物が無い状態に保つことにより、接着剤３６は、その意図した機能を果たすことができる。剥離層４６として適当な一材料は、製品FW 656-222に用いられているものであり、この製品は、英国ウィルトシャー所在のファースト・ウォーター・リミテッドから市販されている４０マイクロメートルのシリコーン化高密度ポリエチレン（ＨＤＰＥ）を含む。剥離層４６も又、生分解性であり、生体適合性であり且つ（或いは）堆肥にできる材料で作られるのが良い。
【００６７】
次に図３及び図４を参照すると、別の実施形態としての使い捨て排出物閉じ込め物品１０′が示されている。使い捨て排出物閉じ込め物品１０′は、長手方向中心軸線Ｘ‐‐Ｘ、横方向中心軸線Ｙ‐‐Ｙ（図３参照）及び垂直中心軸線Ｚ‐‐Ｚ（図４参照）を有している。使い捨て排出物閉じ込め物品１０′は、人の肛門又は肛門外口からの排泄物又は糞便排出物を集めるのに好適である。使い捨て排出物閉じ込め物品１０′は、第１の面５２を備えた身体側の液体不浸透性層５０、捕捉層５４、高吸収体５８を含む吸収層５６及び衣服に向いた層６０を有している。理解されるべきこととして、使い捨て排出物閉じ込め物品１０又は１０′は、３つ又は４つ以上の層で構成されるのが良い。例えば、使い捨て排出物閉じ込め物品１０又は１０′は、３、４、５、６、７、８、９、１０又は１１以上の層を有するのが良い。
【００６８】
場合によっては捕捉／分配層と呼ばれる捕捉層５４は、体液をｘ方向、ｙ方向及び（又はｚ方向に迅速に分配するよう身体側層５２の下に配置されている。捕捉層５４も又、生分解性であり、生体適合性であり且つ（或いは）堆肥にできる材料で作られるのが良い。捕捉層５４は、代表的には、吸収層５６の上方に配置され、任意の液状の人体流体又は半液状人体排出物の液体成分を捕捉して保持するよう設定されている。
【００６９】
吸収層５６は、上述の内容に加えて、一般に、繊維の形態のセルロース系材料、例えば木材パルプ毛羽で構成される。高吸収体５８は、上述したように、液状接着剤又は当業者に知られている他の手段によって吸収層５６の一方の面にくっつけられている。場合によっては、結合剤又は結合繊維、例えば両結合繊維（bico bonding）が、吸収層５６を結合するのを助け、高吸収体５８を定位置に保持するために追加される。理解されるべきこととして、高吸収体は、粒子、繊維又は粉末の形態で、所望ならば、吸収層５６の細孔のうちの幾つかの中に散在した状態で設けられても良い。図４では、高吸収体５８は、使い捨て排出物閉じ込め物品１０′に入った体液を吸収するために最適の位置にあるよう捕捉層５４の方に向いている。衣服向き層６０は、吸収層５６の下に配置され、使い捨て排出物閉じ込め物品１０′内に収集され又は吸収された人体排出物が使い捨て排出物閉じ込め物品から出るのを又はにじみ出るのを阻止する。
【００７０】
再び図３を参照すると、使い捨て排出物閉じ込め物品１０′を形成する４つの層５０，５４，５６，６０の各々は、外周部６２を有している。シール６４が、この外周部６２から見て内方に形成されており、このシールは、４つの層５０，５４，５６，６０を互いに固定し又は結合するのに役立つ。シール６２の形状、長さ、幅等及びシール６２を形成するために用いられる方法については、図１及び図２を参照して上述してある。
【００７１】
依然として図３及び図４を参照すると、使い捨て排出物閉じ込め物品１０′は、身体側層５０を貫通して横方向中心軸線Ｙ‐‐Ｙの近くに形成された拡大孔６６を更に有している。拡大孔６６は、人体に存在する排出物口のうちの１つ、望ましくは肛門と位置合わせするような寸法形状になっている。このために、拡大孔６６は、使い捨て排出物を閉じ込め物品１０′のほぼ中央に配置されている。拡大孔６６は、外周部６８を有する。拡大孔６６は、肛門からの液体、半固形排出物及び固形排出物を使い捨て排出物閉じ込め物品１０′内に通し、そしてこの中に収集して保持するようにする通路となる。図３及び図４では、拡大孔６６はこの場合も又、丸形又は円形開口部として示されている。拡大孔６６の外周部６８は、人体用接着剤７０によって少なくとも部分的に包囲され、望ましくは完全に包囲される。人体用接着剤７０は、内周部７２を備えた接着剤の円形リングとして示されている。人体用接着剤７０は又、生分解性であり、生体適合性であり且つ（或いは）堆肥にできる材料で作られるのが良い。人体用接着剤７０の厚さ及び幅は、使い捨て排出物閉じ込め物品１０′を使用中、着用者の身体に固定するのに十分な量の人体用接着剤７０が存在している限り、様々であって良い。接着剤７０の内周部７２は、拡大孔６６の外周部６８と一致するのが良く又はこれよりも大きく作られるのが良い。
【００７２】
図４を参照すると、使い捨て排出物閉じ込め物品１０′は、人体用接着剤７０の上に位置してこれを覆うように寸法決めされた取り外し可能な剥離層７４を更に有している。取り外し可能な剥離層７４は、人体用接着剤７０の外周部に等しい又はこれよりも僅かに大きい外周部７６を有している。図４では、取り外し可能な剥離層７４は、円形リングとして示されている。ただし、この剥離層は、任意所望の幾何学的形状のものであって良い。剥離層７４は、人体用接着剤７０が人体の皮膚への使い捨て排出物閉じ込め物品１０′の取り付けに先立って、汚染状態になるのを阻止するよう働く。取り外し可能な剥離層７４は、これから外方に延び、剥離層７４を人体用接着剤７０から分離するために着用者又は介護者により使用可能なフィンガータブ７８を更に有している。使い捨て排出物閉じ込め物品１０′を着用者の皮膚に当てる前に、剥離層７４を取り外して捨てる。人体用接着剤７０を清潔な状態に且つ異物が無い状態に保つことにより、人体用接着剤７０は、その意図した機能を果たすことができる。剥離層７４も又、生分解性であり、生体適合性であり且つ（或いは）堆肥にできる材料で作られるのが良い。
【００７３】
使い捨て排出物閉じ込め物品１０′は又、人体用接着剤７０から間隔を置いて位置する接着剤８０の一区域を有するものとして示されている。接着剤８０のこの区域も又、人体用接着剤であり、使い捨て排出物閉じ込め物品１０′を着用者の身体に保持して固定するのを容易にする。使い捨て排出物閉じ込め物品１０′の使用前の汚染を阻止するため、接着剤８０を取り外し可能な剥離層８２（図４参照）によって覆い又は被覆する。取り外し可能な剥離層７４に関して上述したように、取り外し可能な剥離層８２は、フィンガータブ８４を有するのが良い。フィンガータブ８４は、取り外し可能な剥離層８２から外方に延びている。剥離層８２を人体用接着剤７０から分離するためにフィンガータブ８４を着用者又は介護者によって取り外すことができる。使い捨て排出物閉じ込め物品１０′を着用者の皮膚に当てる前に、剥離層８２を取り外して捨てる。接着剤８０の一区域を清潔な状態に且つ異物が無い状態に保つことにより、人体用接着剤８０は、その意図した機能を果たすことができる。接着剤８０及び剥離層８２も又、生分解性であり、生体適合性であり且つ（或いは）堆肥にできる材料で作られるのが良い。
【００７４】
図５及び図６を参照すると、更に別の実施形態としての使い捨て排出物閉じ込め物品１０″が示されている。使い捨て排出物閉じ込め物品１０″は、長手方向中心軸線Ｘ‐‐Ｘ、横方向中心軸線Ｙ‐‐Ｙ（図５参照）及び垂直中心軸線Ｚ‐‐Ｚ（図６参照）を有している。使い捨て排出物閉じ込め物品１０″は、男性からの尿を集めるのに好適である。使い捨て排出物閉じ込め物品１０″は、５層構造体から成る。ただし、所望ならばこれよりも少ない又は多い数の層を用いても良い。５つの層は、上から下に、第１の面８８を備えた身体側の液体不浸透性層８６、陰茎と液体不浸透性層８６の接触を最小限に抑えるためのオプションとしての保護層９０、高吸収体９６が取り付けられた第１の主要な面９４を備える第１の吸収層９２、高吸収体１０２が取り付けられた第１の主要な面１００を備える第２の吸収層９８及び衣服に向いた層１０４を有している。第１の吸収層９２の第１の主要面９４は、第２の吸収層９８の第１の主要面１００の方へ向いている。第１の吸収層９２と第２の吸収層９８の両方は、オプションとしての保護層９０によって身体側層８６から分離されている。各層８６，９０，９２，９８，１０４の目的は、上述した通りであり、各層８６，９０，９２，９８，１０４も又、生分解性であり、生体適合性であり且つ（或いは）堆肥にできる材料で作られるのが良い。
【００７５】
第１の主要面９４及び第２の主要面１００の各々は、それぞれ、第１の吸収層９２及び第２の吸収層９８の各々の長さｌの約５０％〜１００％にわたって延びる高吸収体が無い区域１０６，１０８を有している。望ましくは、高吸収体の無い区域１０６，１０８は、それぞれ、第１の吸収層９２及び第２の吸収層９８のそれぞれの長さｌの約６０％〜約９５％にわたって延びている。より望ましくは、高吸収体の無い区域１０６，１０８は、それぞれ、第１の吸収層９２及び第２の吸収層９８のそれぞれの長さｌの約７５％〜約９０％にわたって延びている。高吸収体の無い区域１０６，１０８は各々、少なくとも約１ｍｍの幅ｗ2、望ましくは少なくとも約２ｍｍの幅ｗ2、より望ましくは少なくとも約５ｍｍの幅ｗ2を有している。
【００７６】
図５を参照すると、使い捨て排出物閉じ込め物品１０″を形成する５つの層８６，９０，９２，９８，１０４の各々は、外周部１１０を有している。シール１１２が、この外周部１１０から内方に形成されており、５つの層８６，９０，９２，９８，１０４を互いに固定し又は結合するのに役立つ。シール１１２の形状、長さ、幅等及びシール１１２を形成するために用いられる方法については、図１及び図２を参照して上述してある。
【００７７】
依然として図５及び図６を参照すると、使い捨て排出物閉じ込め物品１０″は、身体側層８６を貫通して形成された進入部１１４を更に有している。進入部１１４は、横方向中心軸線Ｙ‐‐Ｙから遠ざかって且つ使い捨て排出物閉じ込め物品１０″の一端部寄りに間隔を置いて位置している。進入部１１４は、身体側層８６に形成された２つの互いに交差する切れ目又はスリット１１６，１１８として示されている。２つの切れ目１１６，１１８は、互いに直角（９０°）をなして位置合わせされても良く、或いは、他の何らかの角度をなして位置合わせされても良い。２つの切れ目１１６，１１８の各々の長さｌ1は、約２０ｍｍ〜約１００ｍｍであるのが良い。望ましくは、２つの切れ目１１６，１１８の各々の長さｌ1は、約３０ｍｍ〜約６０ｍｍであるのが良い。より望ましくは、２つの切れ目１１６，１１８の各々の長さｌ1は、約４０ｍｍ〜約５０ｍｍであるのが良い。約４５ｍｍの長さｌ1が、非常に良好に作用する。注目されるべきこととして、２つの切れ目１１６，１１８は、所望ならば互いに異なる長さを有しても良い。切れ目１１６，１１８により、男性陰茎を、身体側層８６を貫通して形成された進入部１１４内に挿入し、そしてこれを通して挿入することができる。この設計は、陰茎を通って出た尿が使い捨て排出物閉じ込め物品１０″内に捕捉されるようにするのを助ける。
【００７８】
図７を参照すると、変形実施形態としての進入部１１４′が示されており、この進入部は、使い捨て排出物閉じ込め物品１０″に形成されるのが良い。この実施形態では、進入部１１４′は、一点１２６から出た３つのスリット１２０，１２２，１２４を有するものとして示されている。進入部１１４′は、身体側層８６を貫通して形成されている。３つのスリット１２０，１２２，１２４は、互いに約１２０°の間隔を置いて配置されている。理解されるべきこととして、４本以上のスリットを用いることができ、隣り合うスリット相互間の間隔は、様々であって良い。スリット１２０，１２２，１２４の各々の長さｌ2は、約１０ｍｍ〜約５０ｍｍである。望ましくは、スリット１２０，１２２，１２４の各々の長さｌ2は、約１５ｍｍ〜約３０ｍｍである。より望ましくは、スリット１２０，１２２，１２４の各々の長さｌ2は、約２０ｍｍ〜約２５ｍｍである。約２２ｍｍの長さｌ2が、非常に良好に作用する。スリット１２０，１２２，１２４の各々は、所望ならば互いに異なる長さを有しても良い。スリット１２０，１２２，１２４により、男性陰茎を、身体側層８６を貫通して形成された進入部１１４′内に挿入し、そしてこれを通して挿入することができる。この設計は、陰茎を通って出た尿が使い捨て排出物閉じ込め物品１０″内に捕捉され、この中に保持されるようにするのを助ける。
【００７９】
再び図５及び図６を参照すると、使い捨て排出物閉じ込め物品１０″は、進入部１１４の周りに配置された人体用接着剤（図示せず）を更に有する。人体用接着剤は、図１〜図４を参照して説明したのと同様な仕方で進入部１１４の周りに配置される。人体用接着剤の厚さ及び幅は、使い捨て排出物閉じ込め物品１０″を使用中、着用者の身体に固定するのに十分な量の人体用接着剤が存在している限り、様々であって良い。取り外し可能な剥離層１２８が、人体用接着剤の上に位置してこれを覆っている。取り外し可能な剥離層１２８は、内周部１３０、外周部１３２及びオプションとしてのスリット１３４を備えた円形リングの形態をしている。内周部１３０は、進入部１１４を包囲し、男性陰茎を進入部中に挿入することができるほど十分に大きい。図６では、男性陰茎１３６が、取り外し可能な剥離層１２８の内周部１３０を通り、そして進入部１１４を通って挿入された状態で示されている。陰嚢１３８が、使い捨て排出物閉じ込め物品１０″の外部に位置決めされている。「陰嚢」という用語は、精巣又は睾丸を包囲した皮膚の外側嚢を意味している。理解されるべきこととして、例えば図１〜図４並びに以下の図８及び図９に記載されている他の進入部設計の使用により、別法として、陰嚢１３８を使い捨て排出物閉じ込め物品１０″の内部に配置しても良い。
【００８０】
取り外し可能な剥離層１２８に形成されたオプションとしてのスリット１３４は、男性陰茎１３６を進入部１１４中に挿入した後の剥離層１２８の取り外しを容易にする。取り外し可能な剥離層１２８は、剥離層１２８を人体用接着剤から取り外すのに使用できるフィンガータブ１４０を更に有している。剥離層１２８を男性陰茎１３６が進入部１１４中に挿入されるまで定位置にそのままにしておくことにより、使い捨て排出物閉じ込め物品１０″を人体上の最も有意な位置に正確に位置決めして固定することが容易であることが分かる。取り外し可能な剥離層１２８も又、生分解性であり、生体適合性であり且つ（或いは）堆肥にできる材料で作られるのが良い。
【００８１】
再び図５を参照すると、フィンガータブ１４４を備えた別の取り外し可能な剥離層１４２が、更に、使い捨て排出物閉じ込め物品１０″の反対側の端部に固定されていることが分かろう。取り外し可能な剥離層１４２は、図３に示す接着剤区域８０を類似した接着剤の別の区域（図示せず）の上に位置してこれを覆っている。接着剤区域は、使い捨て排出物閉じ込め物品１０″を着用者の身体に固定するのを助けるよう使用できる。取り外し可能な剥離層１４２も又、生分解性であり、生体適合性であり且つ（或いは）堆肥にできる材料で作られるのが良い。
【００８２】
次に図８及び図９を参照すると、更に別の実施形態としての使い捨て排出物閉じ込め物品１１が示されている。使い捨て排出物閉じ込め物品１１は、長手方向中心軸線Ｘ‐‐Ｘ、横方向中心軸線Ｙ‐‐Ｙ（図８参照）及び垂直中心軸線Ｚ‐‐Ｚ（図９参照）を有している。使い捨て排出物閉じ込め物品１１は、女性の尿道からの尿を収集するのに好適である。使い捨て排出物閉じ込め物品１１は、５層構造体から成る。ただし、所望ならばこれよりも少ない又は多い数の層を用いても良い。５つの層は、右から左に、第１の面１４８を備えた身体側の液体不浸透性層１４６（図８参照）、捕捉層１５０、高吸収体１５６が取り付けられた第１の主要な面１５４を備える第１の吸収層１５２、高吸収体１６２が取り付けられた第１の主要な面１６０を備える第２の吸収層１５８及び衣服に向いた層１６４を有している。第１の吸収層１５２の第１の主要面１５４は、第２の吸収層１５８の第１の主要面１６０の方へ向いている。第１の吸収層１２２と第２の吸収層１５８の両方は、捕捉層１５０によって身体側層１４６から分離されている。各層１４６，１５０，１５２，１５８，１６４の目的は、上述した通りであり、各層１４６，１５０，１５２，１５８，１６４も又、生分解性であり、生体適合性であり且つ（或いは）堆肥にできる材料で作られるのが良い。
【００８３】
第１の主要面１５４及び第２の主要面１６０の各々は、それぞれ、第１の吸収層１５２及び第２の吸収層１５８の各々の長さｌの約５０％〜１００％にわたって延びる高吸収体が無い区域１６６，１６８を有している。望ましくは、高吸収体の無い区域１６６，１６８は、それぞれ、第１の吸収層１５２及び第２の吸収層１５８のそれぞれの長さｌの約６０％〜約９５％にわたって延びている。より望ましくは、高吸収体の無い区域１６６，１６８は、それぞれ、第１の吸収層１５２及び第２の吸収層１５８のそれぞれの長さｌの約７５％〜約９０％にわたって延びている。高吸収体の無い区域１６６，１６８は各々、少なくとも約１ｍｍの幅ｗ3、望ましくは少なくとも約２ｍｍの幅ｗ3、より望ましくは少なくとも約５ｍｍの幅ｗ3を有している。
【００８４】
図９を参照すると、使い捨て排出物閉じ込め物品１１を形成する５つの層１４６，１５０，１５２，１５８，１６４の各々は、外周部１７０を有している。シール１７２が、この外周部１７０から内方に形成されており、５つの層１４６，１５０，１５２，１５８，１６４を互いに固定し又は結合するのに役立つ。シール１７２の形状、長さ、幅等及びシール１７２を形成するために用いられる方法については、図１及び図２を参照して上述してある。
【００８５】
依然として図８及び図９を参照すると、使い捨て排出物閉じ込め物品１１は、身体側層１４６を貫通して形成された進入部１７４を更に有している。進入部１７４は、使い捨て排出物閉じ込め物品１１の一端部寄りに位置している。進入部１７４は、最も長い寸法が長手方向中心軸線Ｘ‐‐Ｘに沿って整列して位置し、最も短い寸法が横方向中心軸線Ｙ‐‐Ｙに沿って整列して位置した細長い長円形の孔１７６として示されている。この細長い長円形孔１７６は、女性の尿道を通って出た尿及び（又は）女性の膣を通って出た経血が使い捨て排出物閉じ込め物品１１内に捕捉されるようにするのを助ける。長円形孔１７６の内周部は、女性の尿道と膣の両方を包囲するのに十分大きいことが必要である。換言すると、長円形孔１７６の内周部は、女性の尿生殖部を包囲するのに十分大きいことが必要である。
【００８６】
使い捨て排出物閉じ込め物品１１は、進入部１７４の周りに配置された人体用接着剤（図示せず）を更に有している。人体用接着剤は、図１〜図７を参照して説明したのと同様な仕方で進入部１７４の周りに配置される。人体用接着剤の厚さ及び幅は、使い捨て排出物閉じ込め物品１１を使用中、着用者の身体に固定するのに十分な量の人体用接着剤が存在している限り、様々であって良い。取り外し可能な剥離層１７８が、人体用接着剤の上に位置してこれを覆っている。取り外し可能な剥離層１７８は、内周部１８０、外周部１８２を備えた細長い長円形リングとして形作られている。内周部１８０は、進入部１７４を包囲すると共に更に女性の尿生殖部を包囲するのに十分大きい。人体用接着剤の被覆面積を補償するのに外周部１８２は十分大きく且つ内周部１８０は十分に小さい。人体用接着剤及び剥離層１７８も又、生分解性であり、生体適合性であり且つ（或いは）堆肥にできる材料で作られるのが良い。
【００８７】
この実施形態では、スリット１３４が設けられていない。取り外し可能な剥離層１７８は、剥離層１７８を人体用接着剤から取り外すために使用できるフィンガータブ１８４を更に有している。
【００８８】
再び図８を参照すると、それぞれフィンガータブ１９０，１９２を備えた２つの追加の取り外し可能な剥離層１８６，１８８も又、使い捨て排出物閉じ込め物品１１の反対側の端部に固定されていることが分かる。取り外し可能な剥離層１８６，１８８の各々は、人体用接着剤（図示せず）の別個独立の区域の上に位置してこれを覆っている。しかしながら、人体用接着剤のこれら区域の各々は、人体用接着剤区域８０に類似している。人体用接着剤区域は、使い捨て排出物閉じ込め物品１１を着用者の身体に固定するのを助けるために使用できる。取り外し可能な剥離層１８６，１８８及び人体用接着剤も又、生分解性であり、生体適合性であり且つ（或いは）堆肥にできる材料で作られるのが良い。
【００８９】
次に図１０を参照すると、衣服向き層１６４は、その外面１９６に形成されたオプションとしてのポケット１９４を備えた状態で示されている。ポケット１９４は、ふき取り１９８を保持できる寸法形状になっている。ふき取り１９８は、湿式ふき取り、乾式ふき取りのいずれであっても良い。ふき取り１９８を用いると、使い捨て排出物閉じ込め物品１０，１０′，１０″又は１１を着用者の身体に取り付ける前に又はこれを着用者の身体から取り外した後に、着用者の皮膚及び（又は）排出物口を清拭するために使用できる。
【００９０】
上述の表示に従って使い捨て排出物閉じ込め物品１０′，１０″，１１の３つの互いに異なる形態（糞便、男性尿及び女性尿／経血）を構成したが、これらは、以下の表１〜表３に一覧表示されている。各物品の仕上げ外寸は、呼び幅が１２センチメートル（ｃｍ）、呼び長さが２７ｃｍ、呼び厚さが３ｍｍであった。各物品は、その特定の最終使用について適宜形態が様々であった。各物品の材質及び量が、表に一覧表示されている。
【００９１】
〔表１〕
表１‐糞便
部品                  材料                                   量
有孔接着剤ガスケット  ファースト・ウォーター製のFW656-222    １
取り付け用ステッカ    ファースト・ウォーター製のFW656-222    １
有孔外側層            HUGGIES外側バリヤ材料                  １
捕捉層                シャラーグ製のSTAPTE-35                １
吸収層                STAPTE-35  w/Sanwet-770 SAP            １
外側層                HUGGIES外側バリヤ材料                  １
【００９２】
〔表２〕
表２‐男性尿
部品                  材料                                   量
有孔接着剤ガスケット  ファースト・ウォーター製のFW656-222    １
取り付け用ステッカ    ファースト・ウォーター製のFW656-222    ２
有孔外側層            HUGGIES外側バリヤ材料                  １
保護層                シャラーグ製のSTAPTE-35                １
捕捉層                シャラーグ製のSTAPTE-35                １
吸収層                STAPTE-35  w/Sanwet-770 SAP            ２
外側層                HUGGIES外側バリヤ材料                  １
【００９３】
〔表３〕
表３‐女性尿／経血
部品                  材料                                   量
有孔接着剤ガスケット  ファースト・ウォーターのFW656-222      １
取り付け用ステッカ    ファースト・ウォーター製のFW656-222    ２
有孔外側層            HUGGIES外側バリヤ材料                  １
捕捉層                シャラーグ製のSTAPTE-35                １
吸収層                STAPTE-35  w/Sanwet-770 SAP            ２
外側層                HUGGIES外側バリヤ材料                  １
【００９４】
上述の使い捨て排出物閉じ込め物品１０′，１０″，１１の各々は、大人によって用いられて以下の結果が得られた。
【００９５】
或る実験後、３つ全ての使い捨て排出物閉じ込め物品１０′，１０″，１１は、着用者又は介護者により容易に着用できた。使い捨て排出物閉じ込め物品１０′，１０″，１１が存在しているという感覚が殆ど無く又は全く無く、物品が弾性網状支持パンツと一緒に着用された場合に着用者の動きが妨げられなかった。たとえ推定７５０ミリリットル（ｍｌ）尿負荷の場合でも、着用者が座って自分の背中をもたれかけている状態で放尿し又は排便しているときでも流体の漏れが生じた場合はなかった。人体用接着剤の除去は痛みが無く、しかも不快感が無かった。進入部内の皮膚は、濡れを感じず、捕捉層は、使用後乾いているような感じであった。排便後の清拭は、容易であり、使い捨て排出物閉じ込め物品１０′，１０″，１１の処分は、簡単であった。拡大孔を包囲している人体用接着剤は、満杯状態の使い捨て排出物閉じ込め物品１０′，１０″，１１の入口を密封し又は閉鎖するために用いられた。別法として、ユーザは、汚れた状態の使い捨て排出物閉じ込め物品１０′，１０″，１１を再密封可能な使い捨てパウチ又は袋内に入れた。パウチ又は袋を使い捨て排出物閉じ込め物品１０′，１０″，１１と一緒にユーザに供給した。使い捨て排出物閉じ込め物品１０′，１０″，１１の着用、使用又は処分中、臭いは殆ど感じられなかった。
【００９６】
上述のことから、使い捨て排出物閉じ込め物品１０′，１０″，１１は、良好に機能し、使用は容易であり、しかも快適であったということが理解できる。
【００９７】
高吸収体２８，５８，９６，１０２，１５６をそれぞれ吸収層２２，５６，９２，９８，１５２に取り付ける方法の有効性、用いた高吸収体２８，５８，９６，１０２，１５６の量（５グラム（ｇ）〜４０ｇ；１５ｇ〜３０ｇ又は２０ｇ〜２５ｇ）、高吸収体２８，５８，９６，１０２，１５６の取り付けパターン（チャネル／ボイドを有する）、吸収層２２，５６，９２，９８，１５２と高吸収体２８，５８，９６，１０２，１５６の相互作用、使い捨て排出物閉じ込め物品１０′，１０″，１１内への吸収層２２，５６，９２，９８，１５２の取り付け方（周囲に取り付けられる）、使い捨て排出物閉じ込め物品１０′，１０″，１１のサイズ（例えば、周囲シール６４，１１２，１７２内の伸長可能な外側層の折り曲げ及び（又は）使用に起因する考えられる拡張を含む内容積空間が、１００ｍｌ〜２，０００ｍｌ；６００ｍｌ〜１，５００ｍｌ又は７００ｍｌ〜１，２００ｍｌ）に起因して、先行技術と比較して性能が著しく向上した。
【００９８】
高吸収体２８，５８，９６，１０２，１５６の量及び使い捨て排出物閉じ込め物品１０′，１０″又は１１の全体サイズは、物品を着用した人の身体的解剖学的構造に応じて様々であって良い。例えば、乳児は、小児又は大人よりも小さなサイズの物品を必要とする。同様に、大人は、恐らくは、乳児又は小児よりも多量の尿及び（又は）糞便を排泄するであろう。
【００９９】
使い捨て排出物閉じ込め物品１０′，１０″，１１は、施設での使用及び失禁が重度の人について、現行の市販品よりも非常に適している。使い捨て排出物閉じ込め物品１０′，１０″，１１は又、かかる製品に対する要望のある一般公衆にとって有用である。例えば、使い捨て排出物閉じ込め物品１０′，１０″，１１は、従来型トイレ施設を用いる間の時間を延ばすことが必要な人、例えば宇宙飛行士、長距離トラック運転手及びこれらに類似した人によって使用可能である。
【０１００】
使い捨て排出物閉じ込め物品１０′，１０″，１１は、尿と糞便の接触を阻止することができるので、皮膚の健康が促進される。ウレアーゼ、即ち、糞便中の細菌からの尿素の加水分解を促進する酵素は、尿中の尿素に作用するのが阻止され、かくしてアンモニアの生成が減少し又は無くなる。これは、ユーザの皮膚の付近のより健康なレベルのｐＨの維持を可能にすると共にアンモニアによる臭気の発生を減少させる。
【０１０１】
図１１を参照すると、使い捨て排出物閉じ込め物品１０′，１０″，１１の各々は、密封可能な防湿型のパウチ又は袋１９９に入れた状態でユーザに出荷可能である。パウチ又は袋１９９は、当業者に知られている種々の材料で構成できる。パウチ又は袋１９９は、望ましくは、製造及び組み立てが容易な薄い軟質材料で作られる。ポリオレフィンフィルム、例えばポリエチレンフィルム及びポリプロピレンフィルムが良好に作用する。変形例として、パウチ又は袋１９９は、汚れた状態の排出物閉じ込め物品１０′，１０″，１１を適切な仕方で処分するよう再密封可能に作られるのが良い。ユーザの皮膚又は介護者の皮膚は、汚染を阻止するよう排泄物又は尿との接触を回避すべきである。パウチ又は袋１９９は、当業者に知られている周知の市販のクロージャシステムを用いて密封可能である。クロージャシステムの例としては、接着剤及びグルー並びに機械的システム、例えばZIPLOCK、VELCRO等が挙げられる。図１１では、パウチ又は袋１９９は、フラップの内面に設けられた接着剤のストリップ２０１によって密封可能である。
【０１０２】
パウチ又は袋１９９は、新鮮さを補償し、水分、病原菌、細菌等による感染を阻止するよう密封されるのが良い。パウチ又は袋１９９は又、使い捨て排出物閉じ込め物品１０′，１０″，１１を使用し、汚れ且つ（或いは）人体から取り外した後に、使い捨て排出物閉じ込め物品１０′，１０″，１１を処分するのにも使用できる。個々の使い捨て排出物閉じ込め物品を当初再密封可能なパウチ又は袋１９９内に密封するのが良く、幾つかのかかるパウチ又は袋１９９を市場の要件に応じて大きなパッケージ（図示せず）内に組み合わせて入れるのが良く、例えば、パッケージ１つ当たり２つ又は３つ以上を組み合わせるのが良い。
【０１０３】
図１２及び図１３を参照すると、使い捨て排出物閉じ込め物品を取り付ける別の構成例が示されている。上述したように、使い捨て排出物閉じ込め物品は、人体に存在する排出物口のうちの１つからの人体排出物を収集することができる。この変形例としての構成は、人体の皮膚に直接当てられるステッカ２００を用いることを含む。ステッカ２００は、着用者に刺激を生じさせることなく、多くの日数にわたって定位置のままでいることができる。ステッカ２００は、非毒性成分で作られ、かかるステッカも又、生分解性であり、生体適合性であり且つ（或いは）堆肥にできる材料で作られるのが良い。望ましくは、ステッカ２００は、通気性材料で作られる。ステッカ２００は、非刺激性であるべきである。ステッカ２００は、必要ならば、低アレルギー性であるのが良い。さらに、ステッカ２００は、防水であるのが良い。
【０１０４】
ステッカ２００は、人体に存在する排出物口のうちの１つの周りに配置されるような解剖学的形状になっている。ステッカ２００は、肛門外口、男性尿道口又は女性尿道口に適合するよう特別に寸法決めされると共に形作られるのが良い。ステッカ２００は、軟質であり、着用者の快適さを最大限にするために装着が容易であることが必要である。
【０１０５】
図１３を参照すると、ステッカ２００は、肛門腔を包囲するよう特別に形作られている。ステッカ２００は、第１の主要な面２０４、第２の主要な面２０６及び第１の主要面２０４に固定された人体用接着剤２０８を備えた第１の部材２０２を有している。第２の主要面２０６は、対応の収集受け器の取り付け取り外しの繰り返しを考慮に入れた肌触りを持つ材料で作られている。図１２に示すように、ステッカ２００を貫通して孔２１０が形成されている。望ましくは、孔２１０は、形態が丸形又は円形であり、肛門を完全に包囲するのに十分な直径を有している。ステッカ２００は、内周部２１２及び外周部２１４を更に有している。人体用接着剤２０８により、内周部２１２が排出物口のうちの１つを包囲するようステッカ２００を人体に取り外し可能に取り付けることができる。人体用接着剤２０８は、濡れタオル、冷たいタオル又はウェットタオルをステッカ２００に当てることにより人体用接着剤を人体から取り外すことができるよう感温性であるように構成されているのが良い。人体用接着剤２０８は又、これが数日間にわたって使用するのが有効であるように配合されるべきである。
【０１０６】
剥離層２１６が、人体用接着剤２０８に取り外し可能に固定されている。剥離層２１６は、オプションとして、人体用接着剤２０８からの剥離層２１６の取り外しを容易にするフィンガータブ２１８を有するのが良い。剥離層２１６は、人体用接着剤２０８が人体へのステッカ２００の取り付けに先立って、汚染状態になるのを阻止するよう働く。剥離層２１６及び人体用接着剤２０８も又、生分解性であり、生体適合性であり且つ（或いは）堆肥にできる材料で作られるのが良い。
【０１０７】
図１４を参照すると、使い捨て収集受け器２２０が、人体に存在する排出物口のうちの１つの周りに配置されるようステッカ２００に固定できる。使い捨て収集受け器２２０は、流体吸収材（図示せず）を収容している。受け器２２０には開口部２２２が形成されており、この開口部は、第１の接着剤２２４によって少なくとも部分的に包囲される。開口部２２２は、ステッカ２００の内周部２１２に一致するような寸法形状の内周部２２６を有している。第１の接着剤２２４は、ステッカ２００の第２の主要面２０６にくっつくよう設計されている。図１４では、取り外し可能な剥離層２２８が、当初、第１の接着剤２２４を覆い、かかる剥離層は、使い捨て収集受け器２２０をステッカ２００に固定する前に取り外されるよう設計されている。剥離層２１６と同様、剥離層２２８は、ステッカ２００の第２の主要面２０６への使い捨て収集受け器２２０の取り付けに先立って汚染状態になるのを阻止する。剥離層２２８は、剥離層２２８を持ち上げてこれを第１の接着剤２２４から取り外すのを助けるフィンガータブ２３０を有するのが良い。受け器２２０も又、生分解性であり、生体適合性であり且つ（或いは）堆肥にできる材料で作られるのが良い。
【０１０８】
使い捨て収集受け器２２０は、オプションとして、臭気吸収材も又収容するのが良いことは理解されるべきである。
【０１０９】
図１５を参照すると、女性の尿道開口部周りに固定されるよう特別に設計されている別の実施形態としてのステッカ２００′が示されている。ステッカ２００′は、内周部２１２′を備えた拡大孔又は開口部２１０′を有している。孔２１０′の形状は、女性の尿道及び膣の形状に良好に適合するよう工夫されており、かかる形状は又、女性の尿生殖器開口部全体を包囲する。ステッカ２００′も又、生分解性であり、生体適合性であり且つ（或いは）堆肥にできる材料で作られるのが良い。
【０１１０】
図１６を参照すると、男性陰茎に固定されるよう特別に設計された更に別の実施形態としてのステッカ２００″が示されている。ステッカ２００″は、着用者の陰茎に被せて配置されるよう設計されている。ステッカ２００″は、拡大内周部２１２″を備えた丸形又は円形孔２１０″を有している。人体用接着剤２０８は、当初、取り外し可能な剥離層（図示せず）によって覆われるよう設計されており、かかる取り外し可能な剥離層は、オプションとして、人体用接着剤２０８からのその取り外しを助けるフィンガータブを有するのが良い。ステッカ２００″も又、生分解性であり、生体適合性であり且つ（或いは）堆肥にできる材料で作られるのが良い。
【０１１１】
図１７を参照すると、男性用尿収集受け器２３２が示されている。男性用尿収集受け器２３２は、全ての尿を尿収集受け器２３２内に直に入るよう差し向けるために着用者の陰茎に被せて配置される弾性シースとして示されている。男性用尿収集受け器２３２は、男性用尿収集受け器２３２上に施された第１の接着剤２３４を男性用ステッカ２００″に取り付けることにより男性用ステッカ２００″に取り外し可能に取り付けられている。第１の接着剤２３４は、当初、図示していないが、上述した剥離層２１６と同様な仕方で機能する取り外し可能な剥離層によって覆われるのが良い。男性用尿収集受け器２３２は、尿を吸収してこれを収集するための液体吸収材（図示せず）を収容すべきである。吸収材は、化学薬品を用いても良く、或いは、尿を吸収し、固化し又は捕捉するために当業者に現在知られている化学プロセスを含んでも良い。男性用尿収集受け器２３２は、オプションとして、尿が受け器２３２から出るのを阻止する一方向弁を備えるのが良い。男性用尿収集受け器２３２も又、生分解性であり、生体適合性であり且つ（或いは）堆肥にできる材料で作られるのが良い。
【０１１２】
着用者が放尿すると、排出物は、人体から男性用ステッカ２００″の開口部２１０″を通って直接男性用尿収集受け器２３２内に入り、排出物は、男性用尿収集受け器２３２が男性用ステッカ２００″から取り外されて捨てられるまで、かかる受け器内に留まる。
【０１１３】
個々の糞便及び尿収集受け器２２０，２３２をステッカ２００，２００′，２００″に取り付けることができる。各収集受け器２２０，２３２は、排出物を受け入れてこれを貯蔵する密閉式の使い捨て容器である。これら収集受け器２２０，２３２は、必要に応じて処分されるよう設計されている。収集受け器２２０，２３２は、着用者の下着又はおむつ内に位置する。収集受け器２２０及び（又は）２３２を所望ならば着用者の下着に一時的につなぐオプションが存在する。
【０１１４】
尿収集受け器２２０，２３２に全ての実施形態は、尿を収容し、更に流体の漏れを阻止するのを助けるために水分吸収材を収容している。臭気吸収材を収集受け器２２０，２３２内に更に入れるのが良い。
【０１１５】
尿及び糞便収集受け器２２０は、オプションとして、これらが別々のコンパートメントを備えた単一ユニットとして機能するよう互いに接合可能である。
【０１１６】
図１３に示されている糞便収集受け器２２０は、男性又は女性の着用者により出された糞便を収集するよう機能する。糞便収集受け器２２０は、オプションとして臭気吸収材を収容することができる密閉容器である。糞便収集受け器２２０に形成された開口部２２２は、肛門用ステッカ２００に形成された開口部２１０に一致する。糞便収集受け器２２０は、２つの開口部２１０，２２２を位置合わせし、糞便収集受け器２２０に施された第１の接着剤２２４をステッカ２００の第２の主要面２０６に取り付けることによって肛門用ステッカ２００に取り外し可能に取り付けられる。糞便収集容器２２０は、オプションとして、第１の接着剤２２４からの剥離層２２８の取り外しを容易にするためのフィンガータブ２３０を備えている。
【０１１７】
着用者が排便すると、排出物は、人体から男性用ステッカ２００の開口部２２２を通って直接糞便収集受け器２２０内に入り、排出物は、糞便収集受け器２２０が肛門ステッカ２００から取り外されて捨てられるまで、かかる受け器内に留まる。
【０１１８】
図示していないが、外観及び機能が糞便収集受け器２２０に類似した女性用尿収集受け器は、尿を捉えるために女性用ステッカ２００′に設けられた開口部２１０′と直接位置が合う。女性用尿収集受け器は、糞便収集受け器２２０が肛門用ステッカ２００に取り付けられるのと同一な仕方で女性用ステッカ２００′に取り付けられる。女性用尿収集受け器は、収集した尿を保持するために液体吸収剤を収容している。吸収材は、化学薬品を用いても良く、或いは、尿を吸収し、固化し又は捕捉するために当業者に現在知られている化学プロセスを含んでも良い。
【０１１９】
女性が放尿すると、尿は、人体から女性用ステッカ２００′の開口部２１０′を通って直接女性用尿収集受け器内に入り、尿は、実勢用尿収集受け器が女性用ステッカ２００′から取り外されて捨てられるまで、かかる受け器内に留まる。
【０１２０】
さらに、プラスチック内張りポケットを収集受け器２２０，２３２又は図示していない女性用収集受け器又はステッカ２００，２００′，２００″に取り付けるオプションが存在する。ポケットは、１つ又は２つ以上の多数の１回使用ふき取り、衛生用ふき取り、使い捨てふき取り、濡れた状態のふき取り、乾いた状態のふき取り、清拭ふき取り等を収容し又は収納保持することができるような寸法形状になっている。濡れふき取りが用いられる場合、濡れふき取りが衛生的で濡れた状態を維持するような仕方で濡れふき取りをポケット内に密封するのが良い。濡れふき取りは、有利には、ユーザ又は介護者がステッカ又は受け器を取り外し又は交換し、皮膚領域を清拭することが必要な場合に、容易な接近を可能にするよう配置される。これにより、清拭物質は、常時手元にあり、又、家から外出したときでも追加の清拭補給品を所持する必要がなくなる。
【０１２１】
液体を別々の受け器２２０，２３２及び図示していない女性用収集受け器内の固形物から分離し、全ての排出物を着用者の皮膚から遠ざけておくことにより、刺激の刺激及び（又は）皮膚感染の発生率を最小限に抑えることができ、それによりかかる問題に関する治療費が減少する。
【０１２２】
さらに、この排出物収集及び閉じ込めシステムを製造したり具体化することに伴う費用は、他のオプションと比較して著しく減少する。さらに、排出物収集受け器２２０若しくは２３２又は女性用収集受け器（図示せず）を必要な場合に、別個独立に交換できるようにすることは、おむつ一式を交換するよりも経済的である。他の費用面における利点は、シャワーの回数が少なくなり、寝具の頻繁な交換が少なくなり、しかも洗濯の回数が減少する結果として認識できる。
【０１２３】
図１８を参照すると、垂直に半分にスライスされた女性の胴２３６の側面図が示されている。進入部２４０を備えた使い捨て尿閉じ込め物品２３８が、女性の胴２３６に存在する尿道口２４２と位置合わせされている。使い捨て尿閉じ込め物品２３８をユーザの腹部に隣接して位置決めするのが良い。進入部２４６を備えた使い捨て糞便閉じ込め物品２４４が、肛門外口２４８、即ち肛門と位置合わせされている。使い捨て糞便閉じ込め物品２４４をユーザの臀部に隣接して位置決めするのが良い。使い捨て尿閉じ込め物品２３８と使い捨て糞便閉じ込め物品２４４は、互いに間隔を置いて位置し、下着２５０によって胴２３６の股部に隣接して保持されている。２つの使い捨て閉じ込め物品２３８，２４４は、別個独立の物品であり、一方によって収集された排出物は、他方によって収集された排出物と混ざり合うことはなく又は接触することはない。各々が人体に存在する排出物口からの人体排出物を収集することができる２つの使い捨て閉じ込め物品２３８，２４４の組合せは、下着２５０によって人体に隣接して同時に保持されるよう設計されている。使い捨て尿閉じ込め物品は、上述した物品１０′，１０″，１１と同様の仕方で構成されるのが良い。進入部２４０は、身体側層に形成され、この進入部は、人体に存在する尿道口２４２と位置合わせされるよう設計されている。進入部２４０により、尿は、人体からこの進入部を通過することができ、そして尿を尿閉じ込め物品２３８内に収集することができる。
【０１２４】
使い捨て糞便閉じ込め物品は、上述した物品１０又は１０′と同様の仕方で構成されるのが良い。進入部２４６は、身体側層に形成され、この進入部は、人体に存在する肛門外口２４８と位置合わせされるよう設計されている。進入部２４６により、糞便は、人体からこの進入部を通過することができ、そして糞便を糞便閉じ込め物品２４４内に収集することができる。
【０１２５】
図１８では、物品２３８，２４４が当初人体に固定されると、使い捨て尿閉じ込め物品２３８の位置は、使い捨て糞便閉じ込め物品２４４の位置から距離ｄ2だけ離れて位置する。換言すると、図１８に示す実施形態では、物品２３８，２４４を当初人体に固定すると、使い捨て尿閉じ込め物品２３８は、使い捨て糞便閉じ込め物品２４４とオーバーラップしない。距離ｄ2は、大きさが様々であって良く、この距離は、女性であれ男性であれいずれにせよユーザの体格に応じ、しかも、下着２５０内の陰茎の位置及び向きに応じて様々であろう。通常、距離ｄ2は、男性については約１５０ｍｍ〜約５ｍｍであり、女性については約１３０ｍｍ〜約５ｍｍである。より望ましくは、距離ｄ2は、約８０ｍｍ〜約５ｍｍである。さらにより望ましくは、距離ｄ2は、少なくとも約２５ｍｍである。
【０１２６】
使い捨て糞便閉じ込め物品２４４が人体に固定されたままの状態で、使い捨て尿閉じ込め物品２３８を人体から取り外すことができ、そして別の使い捨て尿閉じ込め物品２３８で置き換えることができる。同様に、使い捨て尿閉じ込め物品２３８が人体に固定されたままの状態で、使い捨て糞便閉じ込め物品２４４を人体から取り外すことができ、そして別の使い捨て糞便閉じ込め物品２４４で置き換えることができる。
【０１２７】
使い捨て尿閉じ込め物品２３８は、所定量の尿を保持することができ、使い捨て糞便閉じ込め物品２４４は、これと同量の又は異なる量の糞便を保持することができる。望ましくは、使い捨て尿閉じ込め物品２３８は、約１００ｍｌ〜約２，０００ｍｌの尿を保持することができる。より望ましくは、使い捨て尿閉じ込め物品２３８は、約２００ｍｌ〜約１，５００ｍｌの尿を保持することができる。さらにより望ましくは、使い捨て尿閉じ込め物品２３８は、約１，０００ｍｌ又は１リットルの液状排出物、即ち尿を保持することができる。
【０１２８】
使い捨て糞便閉じ込め物品２４４は、使い捨て尿閉じ込め物品２３８よりも少ない又は多い又はこれと同量の容量を有することができる。望ましくは、使い捨て糞便閉じ込め物品２４４は、約１００ｍｌ〜約２，０００ｍｌの糞便を保持することができる。より望ましくは、使い捨て糞便閉じ込め物品２４４は、約２００ｍｌ〜約１，５００ｍｌの糞便を保持することができる。さらにより望ましくは、使い捨て糞便閉じ込め物品２４４は、約１，０００ｍｌ又は１リットルの半固形又は固形排出物、即ち糞便を保持することができる。
【０１２９】
使い捨て尿閉じ込め物品２３８及び使い捨て糞便閉じ込め物品２４４の各々は、人体排出物の多数回の不意の漏れを受け入れることができることは理解されるべきである。また、使い捨て尿閉じ込め物品２３８内の液状排出物、即ち尿は、使い捨て糞便閉じ込め物品２４４内に集められた半固形排出物及び固形排出物、即ち糞便に接触することがなく又はこれと混ざり合うことがないことが認識されるべきである。各物品２３８，２４４は、他方の物品とは別個独立である。
【０１３０】
図１９を参照すると、２つの使い捨て排出物閉じ込め物品２３８，２４４を下着２５０によって人体の胴２３６の股部に隣接して保持する別の構成例が示されている。この実施形態では、使い捨て尿閉じ込め物品２３８の少なくとも一部分は、その初期位置では、初期位置にある使い捨て糞便閉じ込め物品２４４の少なくとも一部分とオーバーラップする。オーバーラップ距離ｄ3は、約２ｍｍ〜約２００ｍｍであるのが良い。望ましくは、オーバーラップ距離ｄ3は、約５ｍｍ〜約１５０ｍｍであるのが良い。より望ましくは、オーバーラップ距離ｄ3は、約７ｍｍ〜約８０ｍｍであるのが良い。さらにより望ましくは、オーバーラップ距離ｄ3は、約１０ｍｍ〜約５０ｍｍであるのが良い。
【０１３１】
理解されるべきこととして、もう１つの代替手段は、使い捨て尿閉じ込め物品２３８及び使い捨て糞便閉じ込め物品２４４をこれらがこれらの初期位置では互いに当接するよう配置することである。この実施形態では、上述の２つの実施形態の場合と同様、使い捨て排出物閉じ込め物品２３８、２４４の各々は、これら物品が人体の胴２３６から排出された人体排出物を吸収すると、サイズが増大し、例えば、厚さが増大する。この拡大により、物品２３８，２４４は、下着２５０内で移動して別の向きを取ることができる。このために、部分的に入っている又は完全に一杯の物品２３８及び（又は）２４４の場所は、その初期位置とは異なる場合がある。
【０１３２】
また、各々が人体に存在する別々の排出物口からの人体排出物を収集することができる２つの使い捨て排出物閉じ込め物品の組合せは、図１２〜図１７に示されたステッカ２００，２００′，２００″及び受け器２２０，２３２を用いて人体に取り付け又は固定可能であるということは、認識されるべきである。使い捨て排出物閉じ込め物品２２０，２３２の各々は、下着２５０によって人体の股部に隣接して同時に保持されるよう設計されている。下着２５０は、望ましくは、この下着が身体の運動中に伸びたり縮んだりすることができ、又、２つの使い捨て排出物閉じ込め物品が設けられていることに適合することができる弾性ストランド若しくはフィラメント又は他の或る形式の弾性材料を有するのが良い。この構成例では、第１のステッカ２００又は２００′は、人体に当てられ、上述したように排出物口、例えば女性の尿生殖部を包囲する。第２のステッカ２００″は、女性の胴２３６に当てられ、この女性の肛門外口を包囲する。上述したように、使い捨て尿閉じ込め物品２２０は、第１のステッカ２００又は２００′に固定され、使い捨て糞便閉じ込め物品２３２は、第２のステッカ２００″に固定される。各物品２２０，２３２は、別個独立に人体排出物を収集する。一方の口からの人体排出物は、他方の口からの人体排出物と混ざり又は接触することはない。物品２００又は２３２のうちの一方が人体排出物で満たされると、これをそのそれぞれのステッカ２００，２００′又は２００″から取り外し、これに代えて新たな空の物品を用いるのが良い。各物品２２０，２３２を他方の物品とは独立して交換できる。図１８及び図１９に示す物品を参照して上述したように、２つの物品２２０，２３２を互いに間隔を置いて配置することができ、互いに当接することができ又は互いにオーバーラップすることができる。２つの物品２２０，２３２の各々は、最大容積を有するよう製造されるのが良く、一方の物品２２０又は２３２は、これがこれよりも少ない、多い又は同量の人体排出物を受け入れることができるように寸法決めされると共に形作られるのが良い。同様に、各物品２２０，２３２は、人体排出物の多数回の不意の漏れを受け入れることができる。さらに、各物品２２０，２３２は、これが約１００ｍｌ〜約２，０００ｍｌの液状排出物、即ち尿又は半固形若しくは固形排出物、即ち糞便を保持することができるよう構成されるのが良い。
【０１３３】
理解されるべきこととして、使い捨て排出物閉じ込め物品が受け入れることができる正確な量は、そのサイズ、構成、これが吸収する人体排出物の種類、存在する（もしあれば）高吸収体の量、この設計対象の人体の大きさ、これが受け入れる人体排出物の種類、即ち、液体、半固形、固形であるかどうか、並びに当業者に知られている他の要因で決まるであろう。使い捨て排出物閉じ込め物品は、人体に存在する特定の排出物口から排泄された人体排出物の量を取り扱うのに十分な容積を有するべきである。即ち、使い捨て排出物閉じ込め物品の大きさは、その最終使用、これが小児、幼児又は大人に装着されるよう構成されているかどうかによって決定される。最終使用者の体格及び解剖学的構造も又、使い捨て排出物閉じ込め物品が取り扱わなければならない人体排出物の量を決定することになる。
【０１３４】
さらに、上述の使い捨て排出物閉じ込め物品は、形状が対称であっても良く、非対称であっても良いことは理解されるべきである。
【０１３５】
本発明を幾つかの特定の実施形態と関連して説明したが、上述の説明に照らして当業者には多くの変更例、改造例及び変形例が明らかであることは言うまでもない。したがって、本発明は、特許請求の範囲に記載された本発明の精神及び範囲に属するかかる全ての変更例、改造例及び変形例を含むものである。
【図１】
2010504150.tif 000003
【図２】
2010504150.tif 000004
【図３】
2010504150.tif 000005
【図４】
2010504150.tif 000006
【図５】
2010504150.tif 000007
【図６】
2010504150.tif 000008
【図７】
2010504150.tif 000009
【図８】
2010504150.tif 000010
【図９】
2010504150.tif 000011
【図１０】
2010504150.tif 000012
【図１１】
2010504150.tif 000013
【図１２】
2010504150.tif 000014
【図１３】
2010504150.tif 000015
【図１４】
2010504150.tif 000016
【図１５】
2010504150.tif 000017
【図１６】
2010504150.tif 000018
【図１７】
2010504150.tif 000019
【図１８】
2010504150.tif 000020
【図１９】
2010504150.tif 000021
【国際調査報告】
2010504150.tif 000022
2010504150.tif 000023